(57)【要約】【課題】本発明は、マルチメディア放送／マルチキャストサービス(Multimedia Broadcast/Multicast Service；ＭＢＭＳ)を提供する移動通信システムで使用者端末機(User Equipment；ＵＥ)の情報を管理する方法に関する。【解決手段】無線ネットワーク制御器(Radio Network Controller;ＲＮＣ)は、パケット交換(Packet Switched;ＰＳ)サービス及び回線交換(Circuit Switched；ＣＳ)サービスを複数のＵＥに伝送する。少なくとも１つのＭＢＭＳサービスに参加した後に、ＰＭＭ−Ｉｄｌｅ(Packet Mobility Management-Idle)モードにあるＵＥは、ＲＮＣにＵＥのＭＢＭＳサービス関連情報を伝送し、ＲＮＣは、ＭＢＭＳサービス関連情報をＵＥの情報とともに、ＲＮＣが有しているＭＢＭＳサービスに対する第１サービスコンテキストに貯蔵する。【選択図】図７
2004260816.tif 000002
【特許請求の範囲】
【請求項１】
基地局と前記基地局によって占有されるセルの内に前記基地局と通信可能な複数の使用者端末機と、前記基地局と前記使用者端末機の通信を制御して前記使用者端末機にパケット交換サービスと回線交換サービスを提供する無線ネットワーク制御器と、前記無線ネットワーク制御器を管理するサービスノードとを含み、
前記複数の使用者端末機にマルチメディア放送／マルチキャストサービス（ＭＢＭＳサービス）を提供する移動通信システムで前記複数の使用者端末機に対する情報を管理する方法において、
少なくとも１つのＭＢＭＳサービスに参加した後に、パケット交換サービス待機モードにある前記使用者端末機のＭＢＭＳサービス関連情報を前記使用者端末機から前記無線ネットワーク制御器に通報するステップと、
前記ＭＢＭＳサービス関連情報を前記使用者端末機の管理情報とともに、前記無線ネットワーク制御器が有している前記ＭＢＭＳサービスに対する第１サービスコンテキストに貯蔵するステップと
を備えることを特徴とする方法。
【請求項２】
前記ＭＢＭＳサービス関連情報を貯蔵するステップは、前記第１サービスコンテキストに前記ＭＢＭＳサービス関連情報を伝送した前記使用者端末機の情報を追加することを特徴とする請求項１記載の方法。
【請求項３】
前記ＭＢＭＳサービス関連情報は、
前記使用者端末機が参加した前記少なくとも１つのＭＢＭＳサービスに対する少なくとも１つのサービス識別子を含むことを特徴とする請求項１記載の方法。
【請求項４】
前記ＭＢＭＳサービス関連情報は、
前記使用者端末機が任意のＭＢＭＳサービスに参加したことを表示するサービス活性化指示者を含むことを特徴とする請求項１記載の方法。
【請求項５】
前記使用者端末機の情報は、
前記使用者端末機の識別子及び状態情報のうちのいずれか１つを含むことを特徴とする請求項１記載の方法。
【請求項６】
前記無線ネットワーク制御器が前記無線ネットワーク制御器を管理するサービスパケット無線サービス支援ノードとの間で前記使用者端末機に対する認証を遂行するステップをさらに備えることを特徴とする請求項１記載の方法。
【請求項７】
前記ＭＢＭＳサービス関連情報は、
前記使用者端末機と前記無線ネットワーク制御器との間の無線資源接続手順で前記使用者端末機から前記無線ネットワーク制御器に伝送される接続設定要求メッセージまたは接続設定完了メッセージに挿入されることを特徴とする請求項１記載の方法。
【請求項８】
前記無線資源接続手順は、前記使用者端末機の回線交換サービスまたはパケット交換サービスのために行われることを特徴とする請求項１記載の方法。
【請求項９】
前記ＭＢＭＳサービス関連情報は、
前記使用者端末機と前記無線ネットワーク制御器との間の無線資源接続の設定が完了された後に、前記使用者端末機から前記無線ネットワーク制御器に伝送されるＭＢＭＳサービス要求メッセージに挿入されることを特徴とする請求項１記載の方法。
【請求項１０】
前記ＭＢＭＳサービス関連情報を通報するステップは、
前記使用者端末機と前記無線ネットワーク制御器との間の無線資源接続手順が行われる途中、前記使用者端末機が参加した前記少なくとも１つのＭＢＭＳサービスに対する少なくとも１つのサービス識別子が含まれた無線資源接続設定メッセージを前記使用者端末機から前記無線ネットワーク制御器に伝送することを特徴とする請求項１記載の方法。
【請求項１１】
前記無線ネットワーク制御器が前記無線ネットワーク制御器を管理するサービスノードに前記使用者端末機の識別子を含む認証要求メッセージを伝送するステップと、
前記サービスノードから前記使用者端末機に対する認証成功または失敗を示す認証応答メッセージを受信するステップと
をさらに備えることを特徴とする請求項１０記載の方法。
【請求項１２】
前記認証要求メッセージは、前記少なくとも１つのＭＢＭＳサービスに対する少なくとも１つのサービス識別子をさらに備えることを特徴とする請求項１１記載の方法。
【請求項１３】
前記サービスノードは、前記認証要求メッセージに含まれている前記サービス識別子に該当する第２サービスコンテキストに前記使用者端末機の識別子が含まれている場合には、前記使用者端末機の認証に成功したものと判断することを特徴とする請求項１２記載の方法。
【請求項１４】
前記サービスノードは、前記第２サービスコンテキストに前記無線ネットワーク制御器の識別子が含まれていない場合には、前記第２サービスコンテキストに前記無線ネットワーク制御器の情報を追加することを特徴とする請求項１３記載の方法。
【請求項１５】
前記ＭＢＭＳサービス関連情報を通報するステップは、
前記使用者端末機が前記無線ネットワーク制御器との間に回線交換サービスまたはパケット交換サービスのための無線資源接続を設定し、前記使用者端末機が参加した前記少なくとも１つのＭＢＭＳサービスに対するサービス識別子が含まれたサービス要請(SERVICE REQUEST)メッセージを前記使用者端末機から前記無線ネットワーク制御器に伝送することを特徴とする請求項１記載の方法。
【請求項１６】
前記無線ネットワーク制御器が前記無線ネットワーク制御器を管理するサービスノードに前記使用者端末機の識別子を含む認証要求メッセージを伝送するステップと、
前記サービスノードから前記使用者端末機に対する認証成功または失敗を示す認証応答メッセージを受信するステップと、をさらに備えることを特徴とする請求項１５記載の方法。
【請求項１７】
前記認証要求メッセージは、前記少なくとも１つのＭＢＭＳサービスに対する少なくとも１つのサービス識別子をさらに備えることを特徴とする請求項１６記載の方法。
【請求項１８】
前記サービスノードは、前記認証要求メッセージに含まれている前記サービス識別子に該当する第２サービスコンテキストに前記使用者端末機の識別子が含まれている場合には、前記使用者端末機の認証に成功したものと判断することを特徴とする請求項１７記載の方法。
【請求項１９】
前記サービスノードは、前記第２サービスコンテキストに前記無線ネットワーク制御器の識別子が含まれていない場合には、前記第２サービスコンテキストに前記無線ネットワーク制御器の情報を追加することを特徴とする請求項１８記載の方法。
【請求項２０】
前記ＭＢＭＳサービス関連情報を通報するステップは、
前記使用者端末機と前記無線ネットワーク制御器との間の無線資源接続手順が行われる途中、前記使用者端末機が参加した任意のＭＢＭＳサービスが存在することを示すＭＢＭＳサービス活性化指示者が含まれている無線資源接続設定メッセージを前記使用者端末機から前記無線ネットワーク制御器に伝送するステップと、
前記無線ネットワーク制御器が前記無線ネットワーク制御器を管理するサービスノードに前記使用者端末機の識別子を含むサービスリスト要請メッセージを伝送するステップと、
前記無線ネットワーク制御器が前記サービスノードから前記使用者端末機が参加した少なくとも１つのＭＢＭＳサービスを示す少なくとも１つのサービス識別子を含むサービスリスト応答メッセージを受信するステップと
を備えることを特徴とする請求項１記載の方法。
【請求項２１】
前記サービスリスト要求メッセージは、前記無線ネットワーク制御器の識別子をさらに備えることを特徴とする請求項２０記載の方法。
【請求項２２】
前記サービスノードが前記使用者端末機の識別子を利用して前記使用者端末機が参加した前記少なくとも１つのＭＢＭＳサービスに対する少なくとも１つのサービス識別子を検索するステップをさらに備えることを特徴とする請求項２０記載の方法。
【請求項２３】
前記サービスノードは、前記使用者端末機が参加した前記少なくとも１つのＭＢＭＳサービスに対する少なくとも１つのサービス識別子に該当する第２サービスコンテキストに前記無線ネットワーク制御器の識別子が含まれていない場合には、前記第２サービスコンテキストに前記無線ネットワーク制御器の識別子を追加することを特徴とする請求項２２記載の方法。
【請求項２４】
前記ＭＢＭＳサービス関連情報を通報するステップは、
前記使用者端末機と前記無線ネットワーク制御器との間の無線資源接続を設定し、前記使用者端末機が参加した任意のＭＢＭＳサービスが存在することを示すＭＢＭＳサービス活性化指示者が含まれているサービス要求メッセージを前記使用者端末機から前記無線ネットワーク制御器に伝送するステップと、
前記無線ネットワーク制御器が前記無線ネットワーク制御器を管理するサービスノードに前記使用者端末機の識別子を含むサービスリスト要求メッセージを伝送するステップと、
前記無線ネットワーク制御器が前記サービスノードから前記使用者端末機が参加した前記少なくとも１つのＭＢＭＳサービスを示す少なくとも１つのサービス識別子を含むサービスリスト応答メッセージを受信するステップと
を備えることを特徴とする請求項１記載の方法。
【請求項２５】
前記サービスリスト要求メッセージは、前記無線ネットワーク制御器の識別子をさらに備えることを特徴とする請求項２４記載の方法。
【請求項２６】
前記サービスノードが前記使用者端末機の識別子を利用して前記使用者端末機が参加した前記少なくとも１つのＭＢＭＳサービスに対する少なくとも１つのサービス識別子を検索するステップをさらに備えることを特徴とする請求項２４記載の方法。
【請求項２７】
前記サービスノードは、前記使用者端末機が参加した前記少なくとも１つのＭＢＭＳサービスに対する少なくとも１つのサービス識別子に該当する第２サービスコンテキストに前記無線ネットワーク制御器の識別子が含まれていない場合には、前記第２サービスコンテキストに前記無線ネットワーク制御器の識別子を追加することを特徴とする請求項２６記載の方法。
【請求項２８】
前記ＭＢＭＳサービス関連情報を貯蔵するステップは、
前記使用者端末機が参加した前記少なくとも１つのＭＢＭＳサービスに対する前記第１サービスコンテキストを探索し、前記第１サービスコンテキストが存在しなければ、前記第１サービスコンテキストを生成するステップと、
前記第１サービスコンテキストに前記使用者端末機の識別子が含まれていない場合には、前記第１サービスコンテキストに前記使用者端末機の情報を追加するステップと
を備えることを特徴とする請求項１記載の方法。
【請求項２９】
前記使用者端末機の情報は、
前記使用者端末機が前記少なくとも１つのＭＢＭＳサービスに参加した後に、無線資源接続を有しているが、パケット交換シグナリングを有していないことを示すことを特徴とする請求項２８記載の方法。
【請求項３０】
基地局と前記基地局によって占有されるセルの内に前記基地局と通信可能な複数の使用者端末機と、前記基地局と前記使用者端末機の通信を制御して前記使用者端末機にパケット交換サービスと回線交換サービスを提供する無線ネットワーク制御器と、前記無線ネットワーク制御器を管理するサービスノードとを含み、
前記複数の使用者端末機にマルチメディア放送／マルチキャストサービスを提供する移動通信システムで前記複数の使用者端末機に対する情報を管理する方法において、
少なくとも１つのＭＢＭＳサービスに参加した後に、パケット交換サービス待機モードにある前記使用者端末機のＭＢＭＳサービス関連情報を前記使用者端末機から前記サービスノードに通報するステップと、
前記ＭＢＭＳサービス関連情報を前記使用者端末機の情報とリンクするステップと、
前記サービスノードが有している前記ＭＢＭＳサービスに対する第１サービスコンテキストに前記使用者端末機の情報にリンクされた前記ＭＢＭＳサービス関連情報を貯蔵するステップと
を備えることを特徴とする方法。
【請求項３１】
前記ＭＢＭＳサービス関連情報を貯蔵するステップは、
前記第１サービスコンテキストに前記ＭＢＭＳサービス関連情報を伝送した前記使用者端末機の情報を追加することを特徴とする請求項３０記載の方法。
【請求項３２】
前記ＭＢＭＳサービス関連情報は、
前記使用者端末機が参加した前記少なくとも１つのＭＢＭＳサービスに対する少なくとも１つのサービス識別子を含むことを特徴とする請求項３０記載の方法。
【請求項３３】
前記ＭＢＭＳサービス関連情報は、
前記使用者端末機が任意のＭＢＭＳサービスに参加したことを表示するサービス活性化指示者を含むことを特徴とする請求項３０記載の方法。
【請求項３４】
前記ＭＢＭＳサービス関連情報は、
前記使用者端末機と前記無線ネットワーク制御器との間の無線資源接続手順の途中、前記使用者端末機から前記無線ネットワーク制御器に伝送される接続設定要求メッセージまたは接続設定完了メッセージに挿入されることを特徴とする請求項３０記載の方法。
【請求項３５】
前記使用者端末機の情報は、
前記使用者端末機の識別子及び状態情報のうちのいずれか１つを含むことを特徴とする請求項３０記載の方法。
【請求項３６】
前記無線資源接続手順は、前記使用者端末機の回線交換サービスのために行われることを特徴とする請求項３０記載の方法。
【請求項３７】
前記ＭＢＭＳサービス関連情報は、
前記使用者端末機と前記無線ネットワーク制御器との間の無線資源接続設定が完了された後に、前記使用者端末機から前記無線ネットワーク制御器に伝送されるＭＢＭＳサービス要求メッセージに挿入されることを特徴とする請求項３０記載の方法。
【請求項３８】
前記ＭＢＭＳサービス関連情報を通報するステップは、
前記使用者端末機と前記無線ネットワーク制御器との間の無線資源接続の手順が行われる途中、前記使用者端末機が参加した前記少なくとも１つのＭＢＭＳサービスに対するサービス識別子が含まれた無線資源接続設定メッセージを前記使用者端末機から前記無線ネットワーク制御器に伝送するステップと、
前記無線ネットワーク制御器が前記使用者端末機の識別子が含まれている認証要求メッセージを前記サービスノードに伝送するステップと、
前記サービスノードから前記使用者端末機に対する認証成功または失敗を示す認証応答メッセージを受信するステップと
を備えることを特徴とする請求項３０記載の方法。
【請求項３９】
前記認証要求メッセージは、
前記ＭＢＭＳのサービス識別子をさらに備えることを特徴とする請求項３８記載の方法。
【請求項４０】
前記サービスノードは、前記認証要求メッセージに含まれている前記サービス識別子に該当する前記第１サービスコンテキストに前記使用者端末機の識別子が含まれている場合には、前記使用者端末機の認証に成功したものと判断することを特徴とする請求項３８記載の方法。
【請求項４１】
前記サービスノードは、前記第１サービスコンテキストに前記無線ネットワーク制御器の識別子が含まれていない場合には、前記第１サービスコンテキストに前記無線ネットワーク制御器の情報を追加することを特徴とする請求項３９記載の方法。
【請求項４２】
前記ＭＢＭＳサービス関連情報を通報するステップは、
前記使用者端末機が前記無線ネットワーク制御器との間に回線交換サービスまたはパケット交換サービスのための無線資源接続を設定し、前記使用者端末機が参加した前記少なくとも１つのＭＢＭＳサービスに対するサービス識別子が含まれたサービス要求メッセージを前記使用者端末機から前記サービスノードに伝送することを特徴とする請求項３０記載の方法。
【請求項４３】
前記サービスノードが前記サービス識別子を含むリンキング要求メッセージを前記無線ネットワーク制御器に伝送するステップと、
前記無線ネットワーク制御器が前記リンキング要求メッセージに応答して前記サービス識別子に対する第２サービスコンテキストに前記使用者端末機の情報を追加するステップと、
前記無線ネットワーク制御器が前記サービスノードに前記リンキング要求メッセージに対応するリンキング応答メッセージを伝送するステップと
をさらに備えることを特徴とする請求項４２記載の方法。
【請求項４４】
前記サービスノードは、前記第１サービスコンテキストに前記無線ネットワーク制御器の識別子が含まれていない場合には、前記第１サービスコンテキストに前記無線ネットワーク制御器の情報を追加することを特徴とする請求項４２記載の方法。
【請求項４５】
前記ＭＢＭＳサービス関連情報を通報するステップは、
前記使用者端末機と前記無線ネットワーク制御器との間の無線資源接続手順が行われる途中、前記使用者端末機が参加した任意のＭＢＭＳサービスが存在することを示すＭＢＭＳサービス活性化指示者が含まれている無線資源接続設定メッセージを前記使用者端末機から前記無線ネットワーク制御器に伝送するステップと、
前記無線ネットワーク制御器が前記サービスノードに前記使用者端末機の識別子が含まれているサービスリスト要求メッセージを伝送するステップと、
前記無線ネットワーク制御器が前記サービスノードから前記使用者端末機が参加した少なくとも１つのＭＢＭＳサービスを示す少なくとも１つのサービス識別子を含むサービスリスト応答メッセージを受信するステップと
を備えることを特徴とする請求項３０記載の方法。
【請求項４６】
前記サービスリスト要求メッセージは、前記無線ネットワーク制御器の識別子をさらに備えることを特徴とする請求項４５記載の方法。
【請求項４７】
前記サービスノードが前記使用者端末機の識別子を利用して前記使用者端末機が参加した前記少なくとも１つのＭＢＭＳサービスに対するサービス識別子を検索するステップをさらに備えることを特徴とする請求項４５記載の方法。
【請求項４８】
前記サービスノードは、前記使用者端末機が参加した前記少なくとも１つのＭＢＭＳサービスに対するサービス識別子に該当する前記第１サービスコンテキストに前記無線ネットワーク制御器の識別子が含まれていない場合には、前記第１サービスコンテキストに前記無線ネットワーク制御器の識別子を追加することを特徴とする請求項４７記載の方法。
【請求項４９】
前記ＭＢＭＳサービス関連情報を通報するステップは、
前記使用者端末機と前記無線ネットワーク制御器との間の無線資源接続を設定し、前記使用者端末機が参加した任意のＭＢＭＳサービスが存在することを示すＭＢＭＳサービス活性化指示者が含まれているサービス要求メッセージを前記使用者端末機から前記サービスノードに伝送するステップと、
前記サービスノードが前記使用者端末機の識別子を利用して前記使用者端末機が参加した前記少なくとも１つのＭＢＭＳサービスに対するサービス識別子を検索するステップと
をさらに備えることを特徴とする請求項３０記載の方法。
【請求項５０】
前記ＭＢＭＳサービス関連情報を貯蔵するステップは、
前記使用者端末機が参加した前記少なくとも１つのＭＢＭＳサービスに対する前記第１サービスコンテキストを探索し、前記第１サービスコンテキストが存在しなければ、前記第１サービスコンテキストを生成するステップと、
前記第１サービスコンテキストに前記使用者端末機の識別子が含まれていない場合には、前記第１サービスコンテキストに前記使用者端末機の情報を追加するステップと
を備えることを特徴とする請求項３０記載の方法。
【請求項５１】
前記使用者端末機の情報は、
前記使用者端末機が前記少なくとも１つのＭＢＭＳサービスに参加した後に、無線資源接続を有しているが、パケット交換シグナリングを有していないことを示すことを特徴とする請求項５０記載の方法。
【発明の詳細な説明】
【技術分野】
【０００１】
本発明は、マルチメディア放送／マルチキャストサービス(Multimedia Broadcast/Multicast Service; 以下、‘ＭＢＭＳサービス’と称する。)に関し、特に、ＭＢＭＳサービスのためのＭＢＭＳサービスコンテキスト(SERVICE CONTEXT)を管理する方法に関する。
【背景技術】
【０００２】
最近、通信技術の発達によって広帯域符号分割多重接続(Wideband Code Division Multiple Access；Ｗ−ＣＤＭＡ)方式を使用する移動通信システムで提供するサービスは、従来の音声サービスのみならず、パケットデータ、サーキットデータなどのような大容量のデータを伝送するパケット交換サービス及びマルチメディアサービスも伝送できるマルチメディア放送／通信に発展している。従って、前記マルチメディア放送／通信を支援するためには、１つまたは複数のマルチメディアデータソースから複数の使用者端末機(User Equipment；以下、‘ＵＥ’と略称する。)にサービスを提供するＭＢＭＳサービスが論議されている。
【０００３】
“ＭＢＭＳサービス”とは、無線ネットワークを通じて同一のマルチメディアデータを複数の受信者に伝送するサービスを通称する。このとき、複数の受信者は、一本の無線チャンネルを共有することによって無線伝送資源を節約することができる。ＭＢＭＳサービスは、実時間映像及び音声、静止映像、文字などのマルチメディア伝送形態を支援し、前記マルチメディア伝送形態に応じて音声データ及び映像データを同時に提供できる。従って、ＭＢＭＳサービスは、大量の伝送資源を要求する。ＭＢＭＳサービスの場合には、使用者が位置している複数のセルに同一のデータを伝送すべきであるので、各セルに位置する使用者の数に基づいて一対一(Point to Point；以下、ＰｔＰと略称する。)または一対多数(Point to Multiple；以下、ＰｔＭと略称する。)の接続がなされる。
【０００４】
図１は、移動通信ネットワークでＭＢＭＳサービスの提供に参加（Joining）する複数のノードを概略的に示す。
図１を参照すると、使用者端末機(User Equipment；以下、‘ＵＥ’と略称する。)１６１、１６２、１６３、１７１、及び１７２は、ＭＢＭＳサービスを受信するための端末装置または加入者を意味し、セル＃１ １６０及びセル＃２ １７０は、加入者にＭＢＭＳ関連データを無線に伝送する基地局装置、すなわち、Ｎｏｄｅ Ｂによって制御される。ＲＮＣ(Radio Network Controller＜無線ネットワーク制御器＞；以下、‘ＲＮＣ’と略称する。)１４０は、前記複数のセル１６０及び１７０を制御し、マルチメディアデータを特定のセルに選別的に伝送し、ＭＢＭＳサービスを提供するために設定されている無線チャンネルを制御する。ＲＮＣ１４０とＵＥ１６１乃至１７２との間の接続は、“ＲＲＣ(Radio Resource Control：無線資源接続)インタフェース”であると称される。
【０００５】
ＲＮＣ１４０は、サービスパケット無線サービス支援ノード(Serving GPRS(General Packet Radio Service) Support Node；以下、‘ＳＧＳＮ’と略称する。)１３０によってインターネットなどのようなパケット交換サービス(Packet Switched or Packet Service；ＰＳ)ネットワークに接続される。ＲＮＣ１４０とＰＳネットワークとの間の通信は、パケット交換シグナリング(Packet Switched Signaling；PS Signaling)によって行われる。特に、ＲＮＣ１４０とＳＧＳＮ１３０との間の接続は、“Ｉｕ−ＰＳインタフェース”であると称される。
【０００６】
ＳＧＳＮ１３０は、各加入者のＭＢＭＳ関連サービスを制御する。ＳＧＳＮ１３０が担当する機能の代表的な例には、各加入者のサービス課金関連データを管理する機能とマルチメディアデータを特定のＲＮＣ１４０に選別的に伝送する機能などがある。
運送ネットワーク(Transit NW)１２０は、ＢＭ−ＳＣ(Broadcast Multicast Service Center)１１０とＳＧＳＮ１３０との間の通信路を提供し、ＧＧＳＮ(Gateway GPRS Support Node；図示せず)を通じて外部の網に連結されることができる。前記ＢＭ−ＳＣ１１０は、ＭＢＭＳデータのソースであり、ＭＢＭＳデータのスケジューリングを制御する。
【０００７】
一方、前記ＲＮＣ１４０は、移動交換局(Mobile Switching Center；以下、‘ＭＳＣ’と略称する。)１５０によって回線交換(Circuit Switched；ＣＳ)ネットワークに連結される。前記“ＣＳネットワーク”は、接続に基づいた音声指向の既存(legacy)通信ネットワークを意味する。前記ＲＮＣ１４０と前記ＭＳＣ１５０との間の通信は、回線シグナリング(Circuit Switched Signaling；CS Signaling)によって行われる。特に、ＲＮＣ１４０とＭＳＣ１５０との間の接続は、“Ｉｕ−Ｃｓインタフェース”であると称される。ＭＢＭＳデータストリームは、前記運送ネットワーク１２０、ＳＧＳＮ１３０、ＲＮＣ１４０、及びＮｏｄｅ Ｂ１６０と１７０を経てＵＥ１６１、１６２、１６３、１７１、及び１７２に伝達される。
【０００８】
図１には示さなかったが、１つのＭＢＭＳサービスに対して複数のＳＧＳＮ及び各ＳＧＳＮに対する複数のＲＮＣが存在できる。前記各ＳＧＳＮは、ＲＮＣ１４０に選別的なデータの伝送を遂行し、各ＲＮＣは、複数の各セルに選別的なデータの伝送を遂行し、このために、データストリームを伝達すべきノードのリスト(すなわち、各ＳＧＳＮにはＲＮＣのリストが貯蔵されており、各ＲＮＣにはセルのリストが貯蔵されている)などを貯蔵して、追って前記リストに貯蔵されている前記ノードにのみ選別的なＭＢＭＳデータの伝送を遂行する。
【０００９】
複数のＵＥがネットワークに接続してサービスを受信するためには、まず、ＵＥとネットワークノードとの間に該当サービスを提供するために必要な情報の集合であるコンテキスト(Context)が生成されなければならない。前記コンテキストには、代表的に、ＵＥコンテキスト及びＭＭ(Mobility Management)コンテキストがある。
まず、ＲＮＣは、ＲＲＣ(Radio Resource Control)連結を生成した後に、ＵＥに対するＵＥコンテキスト(Context)を生成する。ＵＥコンテキストは、ＵＥ識別子(ＩＤ)、ＵＥの位置情報、ＵＥのＲＲＣ状態情報、及びＵＥに割り当てられた無線資源情報などの基本的な情報を有しており、ＵＥコンテキストは、ＲＲＣ接続が活性化されている間にＲＮＣによって管理される。
【００１０】
前記ＭＭコンテキストは、核心ネットワークでＵＥの位置を管理するために使用される。ＵＥがＰＳサービスを受信するためには、まず、ＧＰＲＳ(General Packet Radio Services)接続(Attach)手順を通じてＳＧＳＮ及びＧＧＳＮに前記ＵＥのＭＭコンテキストが生成されなければならない。特に、前記ＳＧＳＮのＭＭコンテキストは、ＩＭＳＩ(international Mobile Subscriber Identity)、Ｐ−ＴＭＳＩ(Temporary Mobile Subscriber Identity)、ＩＭＥＩ(International Mobile Equipment Identity)、及びＭＳ−ＩＳＤＮ(Mobile Subscriber ISDN(Integrated Switched Data Network))のようなＵＥ識別子、ＲＡ(Routing Area)、ＳＡＣ(Service Area Code)のような位置情報、認証／暗号化関連情報、課金情報、及びＤＲＸパラメータ(Discontinuous Reception Parameters)等を含む。
【００１１】
ＲＮＣ、ＭＳＣ、及びＳＧＳＮのようなネットワークノードでは、効率的なシグナリング伝送及びデータ伝送のためにＵＥの状態を管理する。特に、ＲＮＣは、ＵＥのＲＲＣ状態を管理し、ＵＥのＲＲＣ接続が設定されているか否かに従ってＲＲＣ状態が決定される。ＵＥがＲＲＣ接続を有する場合には、“ＲＲＣ-Ｃｏｎｎｅｃｔｅｄ状態”であると称し、ＵＥがＲＲＣ接続を有していない場合には、“ＲＲＣ−Ｉｄｌｅ状態”であると称する。
【００１２】
ＳＧＳＮは、ＵＥのＰＭＭ(Packet Mobility Management)状態を管理し、ＳＧＳＮにＭＭコンテキストが生成されないＵＥは、ＰＭＭ−Ｄｅｔａｃｈｅｄ状態のＵＥと見なされる。ＧＰＲＳ接続手順を通じてＳＧＳＮにＭＭコンテキストが生成されているＵＥは、ＰＭＭ−Ｃｏｎｎｅｃｔｅｄ状態及びＰＭＭ−ＩＤＬＥ状態に区分される。ＵＥがＩｕ−ＰＳシグナリング連結を有し、同時に、ＲＲＣ-Ｃｏｎｎｅｃｔｅｄ状態である場合には“ＰＭＭ−Ｃｏｎｎｅｃｔｅｄ状態”であると称される。ＵＥがＩｕ−ＰＳシグナリング連結を有していない場合またはＲＲＣ−Ｉｄｌｅ状態である場合には、“ＰＭＭ−Ｉｄｌｅ状態”であると称される。一方、ＭＳＣは、ＵＥのＣＭＭ(Circuit Mobile Management)状態を管理する。ＵＥがＩｕ−ＣＳシグナリング連結を有し、同時に、ＲＲＣ-Ｃｏｎｎｅｃｔｅｄ状態である場合には、“ＣＭＭ−Ｃｏｎｎｅｃｔｅｄ状態”であると称される。ＵＥがＩｕ−ＣＳシグナリング連結を有しない場合またはＲＲＣ−Ｉｄｌｅ状態である場合には、“ＣＭＭ−Ｉｄｌｅ状態”であると称される。
【００１３】
特に、ＭＢＭＳサービスを受信しようとするＵＥのためには、ＭＢＭＳサービスのためのネットワークノードにＭＢＭＳサービスのためのコンテキスト、すなわち、ＭＢＭＳサービスコンテキストとＭＢＭＳ ＵＥコンテキストが使用される。ＭＢＭＳサービスは、同一の情報を複数のＵＥが同時に受信するので、ＭＢＭＳサービスコンテキストは、ＵＥごと個別的に生成されず、各ＭＢＭＳサービスまたはサービス内の各セッションに生成される。ＭＢＭＳ ＵＥコンテキストは、ＵＥ別に参加したＭＢＭＳサービスに対する情報を貯蔵する。
【００１４】
ＭＢＭＳサービスを遂行するためには、まず、ＭＢＭＳサービスの終端点であるＵＥ及びＢＭ−ＳＣでＭＢＭＳサービスコンテキストを生成すべきである。また、ＭＢＭＳを伝送するために使用されるネットワークノードであるＲＮＣ、ＳＧＳＮ、及びＧＧＳＮでもすべてＭＢＭＳサービスコンテキストを生成する。
しかし、ＲＮＣ及びＳＧＳＮで代表されるＰＳネットワークにおいて、ＲＮＣが有しているＭＢＭＳサービスコンテキストには、ＰＭＭ−ＩｄｌｅモードでＵＥの関連情報が登録されていないから、ＵＥがＰＳネットワークからのＭＢＭＳ呼出しを受信できないようになる。これは、ＵＥとＲＮＣとの間にＣＳサービスのためのＲＲＣ接続が設定されているとしても、ＰＳネットワークでこれを認識できない場合に発生されることができる。
【００１５】
図２は、従来のＭＢＭＳシステムでＵＥがＲＮＣとの間にＲＲＣ接続(RRC-Connected state)を設定しつつ、ＰＭＭ−Ｉｄｌｅモードである場合に発生する動作を示す。図２において、参照番号２０２は、ＭＢＭＳサービスを受信するＵＥを示し、参照番号２０４は、前記ＵＥ２０２に該当するＭＢＭＳサービスのためのＲＮＣを示す。そして、参照番号２０６は、前記ＭＢＭＳサービスのためのＣＮのＳＧＳＮを示す。
【００１６】
前記ＵＥ２０２は、ＭＢＭＳサービスに参加したが、ＰＳシグナリングを有していないＰＭＭ−Ｉｄｌｅモードにある。図２を参照すると、ステップ２１０で、ＵＥ２０２は、回線交換サービスを受信するためのＲＲＣ接続の設定を遂行し、ＲＲＣ−ＣｏｎｎｅｃｔｅｄモードのＣｅｌｌ−ＦＡＣＨ(Forward Access Channel)またはＣｅｌｌ−ＤＣＨ(Dedicated Channel)状態になる。ステップ２２０で、前記ＳＧＳＮ２０６は、ＢＭ−ＳＣを通じて受信されたＭＢＭＳセッション開始(SESSION START)メッセージを通じてＭＢＭＳサービスが開始されることを認知する。前記ＭＢＭＳセッション開始メッセージは、ＭＢＭＳサービス識別子、マルチキャスト領域情報、及びＱｏＳ(Quality of Service)情報等を含む。
【００１７】
ステップ２３０で、前記ＳＧＳＮ２０６は、前記ＭＢＭＳセッション開始メッセージに含まれているＭＢＭＳサービス識別子で区別される前記ＭＢＭＳサービスに該当するＭＢＭＳサービスコンテキストを探索し、前記ＭＢＭＳサービスコンテキストに含まれているＲＮＣリストに属しているＲＮＣと、ＰＭＭ−Ｉｄｌｅ状態にある複数のＵＥが属しているＲＡ(Routing Area)に属しているすべてのＲＮＣに前記ＭＢＭＳセッション開始メッセージを伝達してＭＢＭＳデータの伝送が開始されたことを知らせる。
【００１８】
ステップ２４０で、ＳＲＮＣ２０４は、前記ＭＢＭＳサービスを所望のＵＥを呼び出すために前記ＳＧＳＮ２０６から受信した前記ＭＢＭＳセッション開始メッセージ内のＭＢＭＳサービス識別子を確認する。このとき、ステップ２３０のＭＢＭＳセッション開始メッセージがＵＥ識別子を有していないから、ＳＲＮＣ２０４は、前記ＭＢＭＳセッション開始メッセージに含まれている前記ＭＢＭＳサービス識別子を利用して前記ＭＢＭＳサービスに参加したＵＥの識別子を確認する。
【００１９】
ＭＢＭＳ呼出し手順で、ＳＲＮＣ２０４は、前記ＭＢＭＳサービス識別子(例えば、ＴＭＧＩ(Temporary MBMS Group Identifier))とＤＲＸパラメータを利用して同一のＰＯ(Paging Occasion)及びＰＩ(Paging Instance)の値を算出する。ＳＲＮＣ２０４は、前記ＰＩ及び前記ＰＯが指示する時間区間の間にパイロット指示チャンネル(Pilot Indication Channel；ＰＩＣＨ)をオン(on)またはオフ(off)させて、ＵＥに対する関連ページングチャンネル(Paging Channel；ＰＣＨ)を受信するか否かを指示し、前記ＰＩＣＨと所定の時間の後に開始される関連ＰＣＨを通じて前記ＵＥを呼び出す。このとき、Ｃｅｌｌ−ＤＣＨ状態にあるＵＥを呼び出すためには、専用制御チャンネル(dedicated control channel；ＤＣＣＨ)を通じて伝送されるＰＡＧＩＮＧ ＴＹＰＥ２メッセージが使用される。
【００２０】
しかし、ステップ２４０に示すように、ＵＥ２０２がＰＭＭ−Ｉｄｌｅモードに転換する間に、ＳＲＮＣ２０４が前記任意のＵＥ２０２とＭＢＭＳサービスとの連関関係に対する情報を削除した場合に、ステップ２５０に示すように、ＳＲＮＣ２０４は、前記ＵＥ２０２に前記ＰＡＧＩＮＧ ＴＹＰＥ２メッセージを伝送することができない。
【００２１】
すなわち、ＳＲＮＣ２０４は、ＰＭＭ−ＩｄｌｅモードのＵＥを呼び出すためには、共用チャンネル(Common Channel；ＣＣＨ)を使用する。しかし、ＵＥ２０２は、実際に、ＣＳネットワークとの回線交換サービスのための専用チャンネルを有しているので、前記共用チャンネルを通じたＭＢＭＳ呼出しを受信することができない。従って、ＵＥ２０２は、ＭＢＭＳサービスを要請したにもかかわらず、ＭＢＭＳデータを受信できないという問題点がある。
【発明の開示】
【発明が解決しようとする課題】
【００２２】
上記背景に鑑みて、本発明の目的は、移動通信システムでＭＢＭＳサービスを提供するためにすべての状態のＵＥにＭＢＭＳサービスの呼出しを遂行するための方法を提供することにある。
本発明の他の目的は、移動通信システムでＭＢＭＳサービスを提供するために回線交換サービスが行われているＵＥにＭＢＭＳ呼出しを遂行するための方法を提供することにある。
【００２３】
本発明のまた他の目的は、ＲＮＣで、ＰＭＭ−Ｉｄｌｅ／ＲＲＣ−ＣｏｎｎｅｃｔｅｄモードのＵＥに対するＭＢＭＳサービスコンテキストを保持するための方法を提供することにある。
本発明のさらに他の目的は、ＳＧＳＮでＰＭＭ−Ｉｄｌｅ／ＲＲＣ−ＣｏｎｎｅｃｔｅｄモードのＵＥに対するＭＢＭＳサービスコンテキストを保持するための方法を提供することにある。
【課題を解決するための手段】
【００２４】
このような目的を達成するために、本発明によるＮｏｄｅ Ｂと前記Ｎｏｄｅ Ｂによって占有されるセルの内に前記Ｎｏｄｅ Ｂと通信可能な複数のＵＥと、前記Ｎｏｄｅ Ｂと前記ＵＥの通信を制御して前記ＵＥにパケット交換サービスと回線交換サービスを提供するＲＮＣと、前記ＲＮＣを管理するサービスノードとを含み、前記複数のＵＥにＭＢＭＳを提供する移動通信システムで前記複数のＵＥに対する情報を管理する方法において、少なくとも１つのＭＢＭＳサービスに参加した後に、ＰＭＭ−Ｉｄｌｅモードにある前記ＵＥのＭＢＭＳサービス関連情報を前記ＵＥから前記ＲＮＣに通報するステップと、前記ＭＢＭＳサービス関連情報を前記ＵＥの管理情報とともに、前記ＲＮＣが有している前記ＭＢＭＳサービスに対する第１サービスコンテキストに貯蔵するステップと、を備えることを特徴とする。
【００２５】
また、このような目的を達成するために、本発明によるＮｏｄｅ Ｂと前記Ｎｏｄｅ Ｂによって占有されるセルの内に前記Ｎｏｄｅ Ｂと通信可能な複数のＵＥと、前記Ｎｏｄｅ Ｂと前記ＵＥの通信を制御して前記ＵＥにパケット交換サービスと回線交換サービスを提供するＲＮＣと、前記ＲＮＣを管理するサービスノードとを含み、前記複数のＵＥにＭＢＭＳを提供する移動通信システムで前記複数のＵＥに対する情報を管理する方法において、少なくとも１つのＭＢＭＳサービスに参加した後に、ＰＭＭ−Ｉｄｌｅモードにある前記ＵＥのＭＢＭＳサービス関連情報を前記ＵＥから前記サービスノードに通報するステップと、前記ＭＢＭＳサービス関連情報を前記ＵＥの情報とリンクするステップと、前記サービスノードが有している前記ＭＢＭＳサービスに対する第１サービスコンテキストに前記ＵＥの情報にリンクされた前記ＭＢＭＳサービス関連情報を貯蔵するステップと、を備えることを特徴とする。 
【発明の効果】
【００２６】
本発明によれば、ＭＢＭＳサービスを提供するにおいて、ＭＢＭＳサービスに参加した複数のＵＥが回線交換サービスまたはパケット交換サービスのために呼設定を遂行した後にＲＲＣ−Ｃｏｎｎｅｃｔｅｄモードにある場合には、ＭＢＭＳサービスの呼出しのための通知を受信できない複数のＵＥが発生しないようにする。これにより、ＭＢＭＳ呼出しの成功率及び信頼度を高めることができる。
また、ＭＢＭＳサービスを提供するにおいて、ＰＭＭ−Ｉｄｌｅ／ＲＲＣ−ＣｏｎｎｅｃｔｅｄモードのＵＥである場合には、ＲＮＣ及びＳＧＳＮの内でＵＥのＭＢＭＳサービスリンキング情報を保持してＭＢＭＳサービスを効果的に提供することができる長所を有する。
【発明を実施するための最良の形態】
【００２７】
以下、本発明の好適な実施形態について添付図を参照しつつ詳細に説明する。下記説明において、本発明の要旨のみを明瞭するために公知の機能又は構成に対する詳細な説明は省略する。なお、図面中、同一な構成要素及び部分には、可能な限り同一な符号及び番号を共通使用するものとする。
図３は、ＵＥとネットワークとの間のＭＢＭＳサービス手順を示す。図３において、ＢＭ−ＳＣ３０６は、ＲＮＣ３０４を通じてＵＥ３０２と通信する。また、ＲＮＣ３０４は、ＳＧＳＮ(図示せず)を通じて前記ＢＭ−ＳＣ３０６と通信する。説明の便宜上、１つのＲＮＣ３０４と１つのＵＥ３０２のみを示したが、ＭＢＭＳサービスを要請する複数のＵＥと複数のＲＮＣに対しても同一の手順が適用可能である。
【００２８】
図３を参照すると、登録(SUBSCRIPTION)ステップ３１０は、ＭＢＭＳサービスを受信しようとする使用者、すなわち、ＵＥ３０２がサービス提供者、すなわち、ＢＭ−ＳＣ３０６に登録するステップである。登録ステップ３１０において、使用者は、サービス提供者と課金またはサービスの受信に関連した基本的な情報を交換する。
【００２９】
公告(ANNOUNCEMENT)ステップ３２０で、ＵＥは、ＭＢＭＳサービスに対する基本的な情報、例えば、ＢＭ−ＳＣ３０６で提供可能なＭＢＭＳサービスの識別子とサービス開始時間及び持続時間などを認知する。例えば、ＭＢＭＳサービス識別子は、マルチキャストアドレス(multicast address)とアクセスポイントネーム(Access Point Name；以下、‘ＡＰＮ’と称する。)とから構成される。公告ステップ３２０で、ＢＭ−ＳＣ３０６とＵＥ３０２との間に位置しているノード、すなわち、ＲＮＣ３０４、ＳＧＳＮ、及び運送ネットワークは、ＵＥ３０２及びＵＥ３０２に連結されているノードを認知する。例えば、前記ＳＧＳＮは、前記ＭＢＭＳサービスを受信しようとするＵＥのリストと前記ＵＥが位置しているＲＮＣのリストを分析し、前記リストを参照して前記ＵＥが位置しているＲＮＣにのみＭＢＭＳデータを伝送する。
【００３０】
前記ＭＢＭＳサービス基本情報を獲得した後に、ＵＥ３０２は、所望のＭＢＭＳサービスデータを受信するために参加ステップ３３０を遂行する。参加ステップ３３０で、ＵＥ３０２は、公告ステップ３２０を通じて得たＭＢＭＳサービス識別子のうち少なくとも１つのＭＢＭＳサービス識別子をＢＭ−ＳＣ３０６に伝達する。
通知(NOTIFICATION)ステップ３４０は、ＵＥ３０２が参加した前記ＭＢＭＳサービスがすぐ開始されることを知らせるためにＵＥ３０２を呼び出すステップである。ステップ３４０では、前記ＭＢＭＳサービスに参加している複数のＵＥに対するグループ呼出し(Group Paging)が行われる。
【００３１】
無線資源割当て(RADIO RESOURCE ALLOCATION)ステップ３５０では、前記ＭＢＭＳサービスを提供するためにＵＥ３０２とＲＮＣ３０４との間に無線資源を実際に割り当てた後に、その情報を関連ノードに通知する。ステップ３５０で、ＲＮＣ３０４は、下位の各セルに属しているＵＥの数に対する情報及び無線資源管理機能(Radio Resource Management Function)に基づいたＰｔＭ(Point-to-Multipoint)またはＰｔＰ(Point-to-Point)連結方法を選択することができる。
【００３２】
データ伝送(DATA TRANSFER)ステップ３６０では、実際にＭＢＭＳデータがＲＮＣ３０４を通じてＵＥ３０２に伝送される。ステップ３６０で、例えば、前記ＭＢＭＳサービスに対する暗号化キー(ciphering key)を変更すべき必要がある場合に、ＲＮＣ３０４は、新たな暗号化キーを前記ＭＢＭＳサービスを受信しているすべてのＵＥに伝達する。
前記ＭＢＭＳサービスが終了されると、無線資源解除(RADIO RESOURCE RELEASE)ステップ３７０で前記割り当てられた無線資源が解除され、ＵＥ３０２にＭＢＭＳ無線資源が解除されることを通知する。示されていないが、前記ＭＢＭＳサービスを受信している間(すなわち、ステップ３５０)に、ＵＥ３０２が自発的に前記ＭＢＭＳサービスの受信中断を要請でき、前記ＭＢＭＳサービスの受信を中断することもできる。
【００３３】
前記のようなＭＢＭＳサービスを遂行するためには、該当ＭＢＭＳサービスに関連されたネットワークノード、特に、ＳＧＳＮ及びＲＮＣにＭＢＭＳサービスコンテキスト(またはＭＢＭＳ用コンテキスト)が貯蔵されなければならない。ＭＢＭＳサービスコンテキストは、参加ステップ３３０を通じて各ネットワークノードで生成される。ＭＢＭＳサービスコンテキストが生成される時点とＭＢＭＳサービスコンテキストを管理する方法は、各ネットワークノードの機能に基づいて決定される。
【００３４】
図４は、ＲＮＣ及びＳＧＳＮに生成されるＭＢＭＳサービスコンテキストの構造を示すもので、ＵＥのＲＲＣ接続を管理するサービングＲＮＣ(Serving RNC；以下、ＳＲＮＣと称する。)とＵＥが実際に位置するセルを管理する制御ＲＮＣ(Control RNC；以下、ＣＲＮＣと称する。)とに区分して示す。
図４を参照すると、ＳＧＳＮ４６０に貯蔵される第１ＭＢＭＳサービスコンテキストは、複数のＵＥに対して、ＭＢＭＳサービス識別子(またはTemporary MBMS Group Identity(TMGI))、ＵＥ識別子のリスト(UE LIST)、ＲＮＣ識別子のリスト(RNC LIST)、ＳＡＣ(Service Access Control)リスト、マルチキャスト領域リスト、ＱｏＳ(Quality of Service)情報、及びＭＢＭＳ用ＰＤＰ(Packet Data Protocol)コンテキスト情報を含む。
【００３５】
前記ＭＢＭＳサービス識別子は、該当ＭＢＭＳサービスに永久的に割り当てられた識別子(Multicast address／ＡＰＮまたはＩＭＧＩ(International MBMS Group Identity))であるか、または該当ＳＧＳＮ(またはＧＧＳＮ)によってＭＢＭＳサービスを区分するために臨時的に割り当てられた識別子(ＴＭＧＩ(Temporary MBMS Group Identity))であることができる。ＳＧＳＮ(またはＧＧＳＮ)は、ＭＢＭＳサービスに対してＭＢＭＳサービスコンテキストを始めに生成するとき前記ＴＭＧＩ値を割り当てる。
【００３６】
前記ＵＥ識別子のリストは、該当ＭＢＭＳサービスに参加したＵＥのうち該当ＳＧＳＮに属しているＵＥの識別子を有する。前記ＭＢＭＳサービスコンテキスト内のＵＥ識別子は、前記ＳＧＳＮ４６０内のＭＭコンテキストを指示するポインタとして使用される。前記ＵＥ識別子によってＭＢＭＳサービスコンテキスト及びＭＭコンテキストはマッピング関係を保持するので、ＭＢＭＳサービスのために必要な前記ＭＭコンテキスト(例えば、ＭＭ状態情報)は、前記ＭＢＭＳサービスコンテキストに重複されて貯蔵されない。
【００３７】
前記ＲＮＣ識別子のリストは、前記ＵＥ識別子のリストに含まれている複数のＵＥが属しているＲＮＣの集合である。前記ＲＮＣ識別子のリストを利用して、前記ＳＧＳＮは、下位のすべてのＲＮＣにＭＢＭＳデータを伝送せず、実際にＭＢＭＳサービスを受信しようとする複数のＵＥが属しているＲＮＣにのみＭＢＭＳデータを伝送することができる。
前記ＳＡＣ(Service Area Code)リスト及びマルチキャスト領域リストは、ＭＢＭＳサービスが可能なサービス地域を示す。ＱｏＳ情報は、伝送されるＭＢＭＳデータのトラヒッククラス(Traffic Class)、データレート(Date Rate)、ＳＤＵフォーマット情報(Service Data Unit format information)、及びＳＤＵエラーレート(Error Rate)などの属性を含む情報である。
【００３８】
前記ＲＮＣ４０４ａ、４０４ｂのＭＢＭＳサービスコンテキストは、ＵＥのＲＲＣ接続(connection)を管理するサービングＲＮＣ(ＳＲＮＣ)４０４ａであるか、またはＵＥが物理的に位置する制御ＲＮＣ(ＣＲＮＣ)４０４ｂであるかに従って異なる形態を有する。
ＳＲＮＣ４０４ａのＭＢＭＳサービスコンテキストは、ＭＢＭＳサービス識別子(またはＴＭＧＩ)、ＵＥ識別子のリスト情報を含み、ＣＲＮＣ４０４ｂのＭＢＭＳサービスコンテキストは、ＭＢＭＳサービス識別子(またはＴＭＧＩ)、ＵＥ識別子のリスト(またはＵＥのリスト)、及びＭＢＭＳベアラー関連情報、すなわちＭＢＭＳ無線接続ベアラー(Radio Access Bearer)ＩＮＦＯを含む。
【００３９】
前述したように、前記ＭＢＭＳベアラー関連情報は、ＣＲＮＣ４０４ｂとＳＧＳＮ４０６との間の無線接続ベアラー(Radio Access Bearer;以下、‘ＲＡＢ’と略称する。)情報と、前記ＣＲＮＣ４０４ｂとＵＥとの間の無線ベアラー(Radio Bearer；以下、‘ＲＢ’と略称する。)情報とを含む。前記ＲＡＢ情報は、単一のＱｏＳに対して各ＲＮＣ別に前記ＭＢＭＳサービスごと１つずつ存在し、前記ＲＢ情報は、単一のＱｏＳに対して各セル別に前記ＭＢＭＳサービスごと１つずつ存在する。
【００４０】
図５を参照して、図３の参加ステップ３３０をより具体的に説明する。図５において、参照番号４０２は、ＭＢＭＳサービスを受信するＵＥを示し、参照番号４０４は、ＵＥ４０２に該当するＭＢＭＳサービスのためのＲＮＣを示し、参照番号４０６は、前記ＭＢＭＳサービスのための核心網(Core Network；ＣＮ)のＳＧＳＮを示す。図３ですでに説明したように、ＭＢＭＳサービス公告ステップ３２０を通じて、ＵＥ４０２は、セルの内でサービス可能なＭＢＭＳサービスの識別子を獲得する。ＵＥ４０２とＲＮＣ４０４との間にＲＲＣ接続が設定されていない場合に、ステップ４１０で、ＵＥ４０２は、所望のＭＢＭＳサービスに参加するためにＲＮＣ４０４とＲＲＣ接続を設定する。
【００４１】
ステップ４１２で、ＵＥ４０２は、ＭＢＭＳサービス公告ステップ３２０を通じて獲得した該当セルの内のＭＢＭＳサービスのうち、所望のＭＢＭＳサービスの識別子をＵＥ４０２とＳＧＳＮ４０６との間のＮＡＳ(Non-Access Stratum)インタフェースに基づいた活性ＭＢＭＳコンテキスト要求(ACTIVATE MBMS CONTEXT REQUEST)メッセージとともに、ＲＮＣ４０４を通じてＳＧＳＮ４０６に伝送する。前記活性ＭＢＭＳコンテキスト要求メッセージを伝送するために、前記ＵＥ４０２とＲＮＣ４０４との間には、初期直接伝送(INITIAL DIRECT TRANSFER)が使用され、前記ＲＮＣ４０４とＳＧＳＮ４０６との間には、初期ＵＥメッセージ(INITIAL UE MESSAGE)が使用される。しかし、初期直接伝送及び初期ＵＥメッセージは、本発明の主な要旨から外れたものであるので、その詳細な説明は省略する。
【００４２】
前記活性ＭＢＭＳコンテキスト要求メッセージを受信したＳＧＳＮ４０６は、ステップ４１４で、ＵＥ４０２が有効な使用者であるか否かを認証センターに照会するセキュリティーファンクション(SECURITY FUNCTION)手順を通じてＵＥ４０２を認証する。ＵＥ４０２の認証に成功すれば、ステップ４１６で、ＳＧＳＮ４０６は、ＵＥ４０２ に対する情報を前記ＭＢＭＳサービスに該当するＭＢＭＳサービスコンテキストに追加する。前記ＵＥ４０２が前記ＭＢＭＳサービスを要請する一番目のＵＥであれば、ＳＧＳＮ４０６は、前記ＭＢＭＳサービスに対して前記ＭＢＭＳサービスコンテキストを生成する動作を優先的に遂行する。
【００４３】
ステップ４１８で、前記ＳＧＳＮ４０６は、前記ＵＥ４０２に活性ＭＢＭＳコンテキスト許容(ACTIVATE MBMS CONTEXT ACCEPT)メッセージを伝送することにより、前記ＭＢＭＳサービスに参加しようとする要請が成功的に許容されたことを知らせる。前記活性ＭＢＭＳコンテキスト許容メッセージは、前記ＭＢＭＳサービス識別子とＤＲＸパラメータを含むことができる。前記活性ＭＢＭＳコンテキスト許容メッセージに含まれて伝送されるＭＢＭＳサービス識別子は、活性化されたＭＢＭＳサービスに割り当てられた臨時ＭＢＭＳサービス識別子、すなわち、前述したＴＭＧＩである。
【００４４】
前記活性ＭＢＭＳコンテキスト要求メッセージ及び活性ＭＢＭＳコンテキスト許容メッセージは、ＲＮＣ４０４を透明に(transparently)通過してＵＥ４０２とＳＧＳＮ４０６との間で伝達されるので、ＲＮＣ４０４は、ＵＥ４０２が前記ＭＢＭＳサービスを要請したか否かを確認できない。従って、ステップ４２０で、ＳＧＳＮ４０６は、生成ＭＢＭＳコンテキスト要求(CREATE MBMS CONTEXT REQUEST)メッセージを通じてＲＮＣ４０４にＭＢＭＳサービスコンテキストを更新することを命令する。前記生成ＭＢＭＳコンテキスト要求メッセージは、ＭＢＭＳ ＵＥリンキング要求メッセージであるとも称される。
【００４５】
前記生成ＭＢＭＳコンテキスト要求メッセージは、ＵＥ識別子及びＭＢＭＳサービス識別子を含む。前記生成ＭＢＭＳコンテキスト要求メッセージのＭＢＭＳサービス識別子は、ＭＢＭＳマルチキャストアドレスのような永久的にサービスに割り当てられた識別子であるか、または、前記ＭＢＭＳサービスに割り当てられた臨時識別子(ＴＭＧＩ)である。ここで、ＭＢＭＳサービス識別子は、前記２つの識別子のすべてに該当するもので理解すべきである。
【００４６】
ステップ４２２で、ＲＮＣ４０４は、前記ＵＥ４０２に対する情報を該当ＭＢＭＳサービスコンテキストに追加し、ステップ４２４で、生成ＭＢＭＳコンテキスト応答メッセージをＳＧＳＮ４０６に伝送する。ＵＥ４０２が前記ＭＢＭＳサービスを要請した一番目のＵＥであれば、ＲＮＣ４０４は、前記ＭＢＭＳサービスに対して前記ＭＢＭＳサービスコンテキストを生成する動作を優先的に遂行する。
【００４７】
図６は、ＵＥが図５に示したような手順を通じてＭＢＭＳサービスに参加した後に、任意の時間が経過したが、まだＭＢＭＳデータの伝送が開始されていないからＰＳシグナリングが解除される例を示す。
図６を参照すると、ステップ４３０で、ＳＧＳＮ４０６は、ＵＥ４０２とのメッセージ交換が所定の時間の間に発生しないことを感知し、ＰＳシグナリング連結の解除を決定する。そうすると、ステップ４３２で、ＳＧＳＮ４０６は、削除ＭＢＭＳコンテキスト要求メッセージを通じてＲＮＣ４０４に設定されたＭＢＭＳサービスコンテキストの内のＵＥ識別子のリストでＵＥ４０２の除去を要求する。前記削除ＭＢＭＳコンテキスト要求メッセージは、ＭＢＭＳ ＵＥデリンキング要求メッセージであるとも称される。ステップ４３４で、ＲＮＣ４０４は、ＭＢＭＳサービスコンテキストに含まれているＵＥ４０２の情報を除去し、ステップ４３６で、削除ＭＢＭＳコンテキスト応答メッセージを通じてＳＧＳＮ４０６に応答する。
【００４８】
ステップ４３８で、ＳＧＳＮ４０６は、Ｉｕ解除(Release)手順を通じてＩｕ−ＰＳシグナリングを解除する。従って、ＲＮＣ４０４及びＳＧＳＮ４０６は、ＵＥ４０２がＰＳシグナリングを有していないＰＭＭ−Ｉｄｌｅモードにあることを判断する。ＵＥ４０２が回線交換サービスのためにもＲＲＣ接続を使用しない場合には、ステップ４４０で、ＵＥ４０２とＲＮＣ４０４との間のＲＲＣ接続も解除されることができる。ステップ４４２で、ＵＥ４０２は、ＲＲＣ接続が解除されるか否かに無関係に、前記Ｉｕ−ＰＳシグナリングが解除されるだけでＰＭＭ−Ｉｄｌｅモードに遷移される。
【００４９】
ＵＥ４０２が前記ＭＢＭＳサービスに参加した終わりのＵＥであれば、ＲＮＣ４０４は、前記削除ＭＢＭＳコンテキスト応答メッセージを伝送した後に前記ＭＢＭＳサービスコンテキストを削除し、ステップ４４６で、ＳＧＳＮ４０６にＭＢＭＳサービス登録取消しメッセージを伝送する。ステップ４４８で、ＳＧＳＮ４０６は、ＭＢＭＳサービスコンテキストの内のＲＮＣリストでＲＮＣ４０４を除去する。
図５及び図６のような手順を通じて、ＳＧＳＮ４０６及びＲＮＣ４０４の内のＭＢＭＳサービスコンテキストは、生成、更新、及び解除が行われることができる。
【００５０】
しかし、図５及び図６のように、ＲＮＣ内のＭＢＭＳサービスコンテキストにＭＢＭＳサービスに参加したＰＭＭ−Ｃｏｎｎｅｃｔｅｄ状態のＵＥ情報のみが貯蔵される場合に、ステップ４４２で、ＵＥがＰＭＭ−Ｉｄｌｅモードに遷移した後に、図２のステップ２１０のように、回線交換サービスのためのＲＲＣ接続設定を要求するようになると、ＲＮＣ４０４のＭＢＭＳサービスコンテキストの内にＵＥ４０２に対する情報が貯蔵されない。従って、ＲＮＣ４０４は、共通チャンネルを通じてＵＥ４０２にＭＢＭＳサービスが開始されることを知らせ、ＲＲＣ接続状態のＵＥ４０２は、共通チャンネルを監視しないので、前記ＭＢＭＳサービスの開始を示す通知(Notification)を受信することができ、結果的に、ＭＢＭＳサービスを受信することができない。
【００５１】
このような問題を解決するために、本発明の第１実施形態で、ＰＭＭ−Ｉｄｌｅ／ＲＲＣ−Ｃｏｎｎｅｃｔｅｄ ＵＥのために、ＵＥ情報とＭＢＭＳサービス情報をリンキングしてＭＢＭＳコンテキストで管理することによって、ＲＮＣは、ＵＥがＭＢＭＳサービスに成功的に参加した端末機であることを感知することができる。前記ＵＥ情報とＭＢＭＳサービス情報をリンキングして別途のコンテキストで管理することもできる。また、ＳＧＳＮは、ＭＢＭＳサービスコンテキストでＣＭＭ−ＣｏｎｎｅｃｔｅｄモードのＵＥを管理することにより、ＳＧＳＮ及びＲＮＣ内のＭＢＭＳサービスコンテキストの不一致現象(unsynchronized phenomenon)を防止することができる。
【００５２】
本発明の第２実施形態において、ＰＭＭ−Ｉｄｌｅ／ＲＲＣ−Ｃｏｎｎｅｃｔｅｄ ＵＥは、ＲＲＣ接続を設定した後にＰＭＭ−Ｃｏｎｎｅｃｔｅｄモードに遷移するようになると、ＳＧＳＮ及びＲＮＣは、ＭＢＭＳサービスコンテキストを利用してＰＭＭ−ＣｏｎｎｅｃｔｅｄモードのＵＥを管理することができる。前記ＵＥ情報と前記ＭＢＭＳサービス情報をリンキングするために、ＵＥから伝送される情報は、ＭＢＭＳサービス関連情報であると称される。
以下、本発明の第１実施形態及び第２実施形態を区分して詳細に説明する。
【００５３】
［１．ＲＮＣでのサービスコンテキストの管理］
本発明の第１実施形態では、ＭＢＭＳサービスに参加したが、ＰＭＭ−ＩｄｌｅモードにあるＵＥに対する情報をＲＮＣの内で管理できるようにするために、前記ＵＥがＭＢＭＳサービスに成功的に参加した端末機であることを示すＭＢＭＳサービス関連情報を所定のメッセージとともにＲＮＣに伝送する。そうすると、前記ＲＮＣは、自分が管理するＭＢＭＳサービスコンテキストのうち、前記端末機が要請した該当ＭＢＭＳサービスコンテキストに前記端末機の情報を更新するようになる。
【００５４】
このように、ＭＢＭＳサービス関連情報を伝送することによって、ＲＮＣが回線交換サービスのためにＲＲＣ接続を設定した前記ＵＥのリストをＭＢＭＳサービス情報とリンクしてともに管理できるようになる。前記ＲＮＣは、前記ＵＥの識別子のみを前記ＭＢＭＳサービス情報とリンクして貯蔵するか、または前記ＵＥに対して前記複数のＵＥが回線交換サービスのためにＲＲＣ接続を設定していることを示す状態情報を前記ＭＢＭＳサービス情報とリンクして貯蔵することもできる。以下では、前記ＵＥの識別子または前記ＵＥの状態情報をＵＥ情報であると通称する。前記ＭＢＭＳサービス関連情報は、前記端末機が参加したＭＢＭＳサービスを示すＭＢＭＳサービス識別子に該当するか、または前記端末機が任意のＭＢＭＳサービスに参加したことを示すＭＢＭＳサービス活性化指示者(Activation Indicator)に該当する。
【００５５】
前記ＭＢＭＳサービス識別子を伝送する場合には、前記ＭＢＭＳサービス識別子に該当する各ＭＢＭＳサービスに対して前記伝送した端末機が有効な端末機であるか否かを認証する過程が必要である。前記端末機がＭＢＭＳサービス活性化指示者を伝送する場合には、前記端末機は、要請した少なくとも１つ以上のＭＢＭＳサービスに対する情報をＳＧＳＮから受信しなければならない。
前記ＭＢＭＳサービス関連情報は、ＲＲＣ接続設定（CONNECTION SETUP）メッセージまたは専用のＲＲＣメッセージを使用して伝送される。
【００５６】
図７乃至図９は、ＭＢＭＳサービスに参加したが、ＰＭＭ−ＩｄｌｅモードにあるＵＥに対して前記ＵＥに該当するＲＮＣのＭＢＭＳサービスコンテキストに前記ＵＥの情報を追加する手順を示す。ここで、参照番号５０２は、ＭＢＭＳサービスを受信するＵＥを示し、参照番号５０４は、ＵＥ５０２をサービスするＲＮＣを示し、参照番号５０６は、前記ＭＢＭＳサービスのためのＣＮのＳＧＳＮを示す。また、ＳＧＳＮ５０６のＭＢＭＳサービスコンテキストは、“第１ＭＢＭＳサービスコンテキスト”と称され、ＲＮＣ５０４のＭＢＭＳサービスコンテキストは、“第２ＭＢＭＳサービスコンテキスト”と称される。
図７は、前記ＲＮＣのＭＢＭＳサービスコンテキストを管理するために、前記ＵＥと前記ＲＮＣとの間にＲＲＣ接続設定手順のためのメッセージを伝送するときに、ＲＲＣ接続設定要求メッセージに前記ＭＢＭＳサービス識別子を挿入する方法を示す。図７を参照すると、ステップ５１０、５１２、及び５１４は、ＵＥ５０２とＲＮＣ５０４との間にＲＲＣ接続を設定するために遂行される。すなわち、ステップ５１０で、ＵＥ５０２がＰＳサービスまたはＣＳサービスのためのＲＲＣ接続設定要求メッセージをＲＮＣ５０４に伝送すると、ステップ５１２で、ＲＮＣ５０４は、ＲＲＣ接続設定メッセージ５１２に応答する。そして、ステップ５１４で、ＵＥ５０２がＲＲＣ接続設定完了メッセージを伝送すると、ＵＥ５０２とＲＮＣ５０４との間にＲＲＣ接続の設定が完了される。
【００５７】
ステップ５１０乃至５１４のように、ＰＳサービスまたはＣＳサービスのためのＲＲＣ接続設定過程を遂行するとき、ＵＥ５０２は、ＲＮＣ５０４に伝送する前記ＲＲＣ接続設定要求メッセージまたは前記ＲＲＣ接続設定完了メッセージに所望の少なくとも１つのＭＢＭＳサービスを示す少なくとも１つのＭＢＭＳサービス識別子(SERVICE ID)を挿入して伝送する。そうすると、ステップ５２４で、ＲＮＣ５０４は、前記ＭＢＭＳサービス識別子に該当するＭＢＭＳサービスの第２ＭＢＭＳサービスコンテキストを修正するようになる。すなわち、ＲＮＣ５０４は、ＵＥ５０２がＲＲＣ接続を持っていることを示すＵＥの情報を前記第２ＭＢＭＳサービスコンテキストに追加する。
【００５８】
前述した手順を通じて、ＲＮＣ５０４は、前記ＭＢＭＳサービスを要請したＵＥのうち回線交換サービスまたはパケット交換サービスのためにＲＲＣ接続を設定したＵＥの情報を該当ＭＢＭＳサービスコンテキストに貯蔵することができる。ここで、ＭＢＭＳサービスコンテキストは、ＰＭＭ−Ｉｄｌｅ／ＲＲＣ−Ｃｏｎｎｅｃｔｅｄ ＵＥのための別途の情報に該当するか、または各ＭＢＭＳサービスに対する既存のＭＢＭＳサービスコンテキストに該当する。
【００５９】
ＲＮＣ５０４によるＭＢＭＳサービスコンテキストの更新は、ステップ５１０乃至５１４の前記ＲＲＣ接続設定手順が行われた直後に遂行されるか、または、図７に示すように、ＵＥ５０２の有効性が判明された後に遂行されることもできる。
ステップ５１６で、ＲＮＣ５０４は、ＵＥ５０２が前記要請したＭＢＭＳサービスに対して有効であるか否かを判明するためにＭＢＭＳ ＵＥ認証要求（VALIDATE REQUEST）メッセージを使用する。前記ＭＢＭＳ ＵＥ認証要求メッセージは、ＵＥ５０２のＵＥ識別子、ステップ５１０乃至５１４のＲＲＣ接続設定手順から獲得したＭＢＭＳサービス識別子、及び前記ＲＮＣ５０４のＲＮＣ識別子を含る。ＲＮＣ５０４からＳＧＳＮ５０６に伝達される。
【００６０】
前記ＭＢＭＳ ＵＥ認証要求メッセージを伝送するにおいて、ＵＥ５０２がＰＭＭ−Ｉｄｌｅ状態である場合に、ＲＮＣ５０４とＳＧＳＮ５０６との間には、ＵＥ５０２のために割り当てられた専用シグナリングベアラーが存在しない。従って、前記ＭＢＭＳ ＵＥ認証要求メッセージは、該当ＭＢＭＳサービスのために生成された共用シグナリングベアラーを利用して伝送されるか、非接続(Connectionless)シグナリング伝送方法を使用して伝送されることができる。
【００６１】
前記ＭＢＭＳ ＵＥ認証要求メッセージがＭＢＭＳサービスのための共用シグナリングベアラーを使用して伝達される場合に、ＳＧＳＮ５０６は、前記ＭＢＭＳ ＵＥ認証要求メッセージが伝達されたシグナリングベアラーを確認してＭＢＭＳサービスとＲＮＣ５０４を区別することができる。従って、ＭＢＭＳサービス識別子とＲＮＣ識別子は、前記メッセージから選択的に除外される。しかし、前記ＭＢＭＳ ＵＥ認証要求メッセージが非接続シグナリング伝送方法を使用して伝達される場合に、前記メッセージには、ＭＢＭＳサービス識別子とＲＮＣ識別子が含まれなければならない。
【００６２】
前記ＭＢＭＳ ＵＥ認証要求メッセージを受信したＳＧＳＮ５０６は、ステップ５１６のメッセージに含まれているＭＢＭＳサービス識別子に該当する第１ＭＢＭＳサービスコンテキストが存在し、ステップ５１６のメッセージに含まれているＵＥ識別子が前記第１ＭＢＭＳサービスコンテキストに存在する場合に、ステップ５１８で、前記第１ＭＢＭＳサービスコンテキストにＲＲＣ接続を有しつつＭＢＭＳサービスを要請したＵＥ５０２が属しているＲＮＣ５０４の情報を追加するようになる。また、ＳＧＳＮ５０６は、前記第１ＭＢＭＳサービスコンテキストに該当ＵＥがＣＭＭ＿Ｃｏｎｎｅｃｔｅｄ状態であることを示すことができるように状態情報を貯蔵することができる。この場合に、前記第１ＭＢＭＳサービスコンテキストが前記ＲＮＣ５０４の情報をすでに有していると、ＲＮＣ５０４の情報をさらに追加する必要はない。
【００６３】
ＵＥ５０２が前記ＭＢＭＳサービスに対して有効な場合には、ステップ５２０で、ＭＢＭＳ ＵＥ認証応答（VARIDATE RESPONSE）メッセージがＳＧＳＮ５０６からＲＮＣ５０４に伝送される。前記ＭＢＭＳ ＵＥ認証応答メッセージは、前記ＭＢＭＳサービスが可能な地域に対する情報を含む。
例えば、前記ＭＢＭＳサービスが可能な地域に対する情報は、サービス地域コード(Service Area Code；ＳＡＣ)またはマルチキャスト領域情報を意味する。前記サービス地域に対する情報を利用して、ＲＮＣ５０４は、ＵＥ５０２がＭＢＭＳサービスが可能な地域に属していないセルにある場合に、ＵＥ５０２が他のセルに移動することを要求することができる。
【００６４】
ＲＮＣ５０４でのＭＢＭＳサービスコンテキストの更新がステップ５１６乃至５２０でＵＥの認証手順が行われた後に遂行される場合に、ステップ５２４で、ＲＮＣ５０４は、前記ＭＢＭＳ ＵＥ認証応答メッセージを受信した以後に、自分の第２ＭＢＭＳサービスコンテキストにＵＥ５０２の情報を追加する。このとき、前記ＭＢＭＳサービス識別子に該当する第２ＭＢＭＳサービスコンテキストがＲＮＣ５０４に存在しなければ、ＲＮＣ５０４は、第２ＭＢＭＳサービスコンテキストをまず生成する。
【００６５】
ステップ５１６で、ＲＮＣ５０４は、ＵＥ５０２が前記ＭＢＭＳサービスに対して有効であるか否かを判断するために、前記ＳＧＳＮ５０６に確認を要求したが、ＳＧＳＮ５０６は、ＵＥ５０２が前記ＭＢＭＳサービスを受信するにおいて有効であるか否かを確認するのに失敗した場合に、ステップ５２２で、ＳＧＳＮ５０６は、ＭＢＭＳ ＵＥ有効失敗メッセージをＲＮＣ５０４に伝送して、ＵＥ５０２がＳＧＳＮ５０６を通じてＭＢＭＳサービスに参加しなかったことを知らせる。前記ＭＢＭＳ ＵＥ有効失敗メッセージは、ＭＢＭＳ ＵＥ認証応答メッセージに特定のパラメータ値‘Ｃａｕｓｅ Ｖａｌｕｅ’を挿入したものと定義されることができる。
【００６６】
図８は、ＲＲＣ接続設定手順が行われた以後にＭＢＭＳサービス識別子をＵＥ５０２からＲＮＣ５０４に伝送する方法を示す。図８は、図７とは異なり、ＵＥ５０２は、ＭＢＭＳサービス要求メッセージを通じて前記ＭＢＭＳサービスを要請したことをＲＮＣ５０４に通報する。
図８を参照すると、ＵＥ５０２は、ＲＲＣ接続設定手順５３０を通じてＲＲＣ接続をＲＮＣ５０４に設定する。ＲＲＣ接続設定手順５３０は、ＵＥ５０２とＲＮＣ５０４との間にＲＲＣ接続設定要求メッセージ、ＲＲＣ接続設定メッセージ、及びＲＲＣ接続設定完了メッセージを交換することによって行われる。ＲＲＣ接続設定手順５３０では、ＭＢＭＳサービス関連情報が伝達されない。
【００６７】
ステップ５３２で、ＵＥ５０２は、ＭＢＭＳサービス要求メッセージを通じてＭＢＭＳサービス識別子をＲＮＣ５０４に伝達する。前記ＭＢＭＳサービス要求メッセージは、ＵＥ５０２が受信しようとする少なくとも１つのＭＢＭＳサービスを示す少なくとも１つのＭＢＭＳサービス識別子を含む。
前記ＭＢＭＳサービス要求メッセージを通じてＲＮＣ５０４が前記ＭＢＭＳサービス識別子を受信した以後の動作は、図７に示した該当動作と類似している。すなわち、ステップ５３４で、ＲＮＣ５０４は、ＵＥ５０２が前記ＭＢＭＳサービスに対して有効であるか否かを判断するために前記ＳＧＳＮ５０６に確認を要求するＭＢＭＳ ＵＥ認証要求メッセージを伝送する。前記ＭＢＭＳ ＵＥ認証要求メッセージは、前記ＭＢＭＳサービス識別子、ＵＥ識別子、及びＲＮＣ識別子を含む。
【００６８】
ＳＧＳＮ５０６は、前記ＭＢＭＳ ＵＥ認証要求メッセージに応答してＵＥ５０２が前記ＭＢＭＳサービスに参加したことを確認すると、ステップ５３６で、自分のＭＢＭＳサービスコンテキストにＲＮＣ５０４の情報を追加し、ステップ５３８で、ＲＮＣ５０４にＭＢＭＳ ＵＥ認証応答メッセージを伝送する。ステップ５３６で、ＳＧＳＮ５０６に生成された第１ＭＢＭＳサービスコンテキストにＵＥ５０２がＣＭＭ＿Ｃｏｎｎｅｃｔｅｄ状態にあることを示すことができるように状態情報を貯蔵することもできる。
【００６９】
ステップ５４２で、ＲＮＣ５０４は、前記ＭＢＭＳ ＵＥ認証応答メッセージに応答して自分のＭＢＭＳサービスコンテキストにＵＥ５０２の情報を追加する。他の実施形態において、ＲＮＣ５０４は、前記ＭＢＭＳサービス要求メッセージを受信した直後に自分のＭＢＭＳサービスコンテキストにＵＥ５０２の情報を追加する。
ステップ５４４で、ＲＮＣ５０４は、ＭＢＭＳサービス応答メッセージを通じてＵＥ５０２にＲＮＣ５０４からＭＢＭＳサービスコンテキストが生成されたことを知らせる。ＵＥ５０２に現在属しているセルがＭＢＭＳサービスを提供しない場合に、ＲＮＣ５０４は、ＵＥ５０２が前記ＭＢＭＳサービスを受信するためには、ＵＥ５０２が他のセルに移動するように命令するために、前記ＭＢＭＳサービス応答メッセージに前記ＭＢＭＳサービスが可能なセルを示すセル識別子(Cell ID)を含む。
【００７０】
一方、ステップ５３４で、ＲＮＣ５０４は、ＵＥ５０２が前記ＭＢＭＳサービスに対して有効であるか否かをＳＧＳＮ５０６に照会したが、ＳＧＳＮ５０６がＵＥ５０２を認証するのに失敗した場合には、ステップ５４０で、ＳＧＳＮ５０６は、ＭＢＭＳ ＵＥ有効失敗メッセージを通じてＵＥ５０２がＳＧＳＮ５０６を通じてＭＢＭＳサービスに参加しなかったことをＲＮＣ５０４に通報する。そうすると、ステップ５４６で、ＲＮＣ５０４は、第２ＭＢＭＳサービスコンテキストにＵＥ５０２の情報を追加せず、ＭＢＭＳサービス失敗メッセージを通じてＵＥ５０２にＭＢＭＳサービスを受信することが不可能であることを知らせる。
【００７１】
図９は、ＲＲＣ接続設定要求メッセージにＭＢＭＳサービス活性化指示者(MBMS Service Activation Indicator)を追加する方法を示す。図９では、図７と同様に、ＲＲＣ接続設定要求メッセージを利用しているが、ＭＢＭＳサービス識別子を直接に伝送せず、ＭＢＭＳサービス活性化指示者を伝送するという点で差異がある。
前記ＭＢＭＳサービス活性化指示者は、ＲＲＣメッセージ(ＲＲＣ接続設定要求メッセージ、またはＲＲＣ接続設定完了メッセージ)に新たな情報エレメント(Information Element; 以下、‘ＩＥ’と略称する。)として追加されるか、またはＲＲＣメッセージにＣａｕｓｅ Ｖａｌｕｅ(例えば、Cause=“MBMS Service Activation”)として追加されることができる。
【００７２】
従って、１つのＵＥ５０２が複数のＭＢＭＳサービスを要請した場合に、ＵＥ５０２は、前記すべてのＭＢＭＳサービスに対して別途のメッセージを伝送せず、ＭＢＭＳサービス活性化指示者を一回のみ伝送することによって、すべてのＭＢＭＳサービスに対する情報を更新することができる。
図９を参照すると、ステップ５５０、５５２、及び５５４を通じて、ＵＥ５０２は、ＲＮＣ５０４と回線交換サービスまたはパケット交換サービスのためのＲＲＣ接続を設定する。ここで、ＵＥ５０２は、ＲＮＣ５０４に伝送するＲＲＣ接続設定要求メッセージまたはＲＲＣ接続設定完了メッセージに所望のＭＢＭＳサービスが存在することを示すＭＢＭＳサービス活性化指示者を挿入して、ＵＥ５０２がＭＢＭＳサービスに参加したことを知らせる。前記ＭＢＭＳサービス活性化指示者は、前記ＲＲＣメッセージ、すなわち、ＲＲＣ接続設定要求メッセージまたはＲＲＣ接続設定完了メッセージに１つのＩＥまたは１つのＣａｕｓｅ Ｖａｌｕｅとして挿入されることができる。
【００７３】
さらに説明すると、前記ＲＲＣメッセージのそれぞれは、ＵＥ５０２を識別することができるＵＥ識別子及び前記ＲＲＣ接続が必要な理由を示すＣａｕｓｅ Ｖａｌｕｅから構成される。前記Ｃａｕｓｅ Ｖａｌｕｅは、前記ＲＲＣメッセージで１つのＩＥを構成し、前記Ｃａｕｓｅ Ｖａｌｕｅの所定の値によって前記メッセージが必要な理由を区分することができる。従って、前記Ｃａｕｓｅ Ｖａｌｕｅ(例えば、Cause=“MBMS Service Activation”)に前記ＭＢＭＳサービス活性化を示す値を割り当てて伝送することができる。
【００７４】
望ましくは、ＵＥ５０２が１つ以上のＭＢＭＳサービスに参加した場合に、前記ＭＢＭＳサービス活性化指示者は、前述したＭＢＭＳサービス識別子と混用されて、ＵＥ５０２がＭＢＭＳサービスに参加したことをＲＮＣ５０４及びＳＧＳＮ５０６に知らせることができる。
ステップ５５０乃至５５４を通じて、ＵＥ５０２とＲＮＣ５０４との間にＲＲＣ接続が成功的に設定されると、ステップ５５６で、ＲＮＣ５０４は、ＵＥ５０２があるＭＢＭＳサービスに参加したかを判断するために、ＳＧＳＮ５０６にＵＥ５０２に対する確認を要求するためのＭＢＭＳサービスリスト要求（SERVICE LIST REQUEST）メッセージを伝送する。前記ＭＢＭＳサービスリスト要求メッセージは、ＵＥ識別子及びＲＮＣ識別子を含む。
【００７５】
ここで、ＵＥ５０２がＰＭＭ−Ｉｄｌｅ状態にある場合に、ＲＮＣ５０４とＳＧＳＮ５０６との間には、ＵＥ５０２のために割り当てられた専用シグナリングベアラーが存在しない。従って、前記ＭＢＭＳサービスリスト要求メッセージは、非接続シグナリング伝送方法を使用して伝送される。
ステップ５５８で、ＳＧＳＮ５０６は、ＲＮＣ５０４がＳＧＳＮ５０６の内のＭＢＭＳサービスコンテキストに存在しなければ、前記ＭＢＭＳサービスコンテキストにＲＮＣ５０４の情報を追加する。ステップ５５８で、ＳＧＳＮ５０６の内のＭＢＭＳサービスコンテキストにＵＥ５０２がＣＭＭ＿Ｃｏｎｎｅｃｔｅｄ状態であることを示すことができるように状態情報を貯蔵することもできる。
【００７６】
また、ステップ５６０で、ＳＧＳＮ５０６は、前記ＭＢＭＳサービスリスト要求メッセージに含まれているＵＥ識別子に該当するＵＥ５０２が現在参加しているＭＢＭＳサービスに対する情報、すなわち、ＭＢＭＳサービス識別子のリストをＭＢＭＳサービスリスト応答（SERVICE LIST RESPONSE）メッセージに乗せてＲＮＣ５０４に伝送する。前記ＭＢＭＳサービス識別子のリストは、ＳＧＳＮ５０６に貯蔵されているＵＥコンテキストから抽出される。前記ＵＥコンテキストは、既存のＵＥコンテキストであるか、またはＭＢＭＳサービスに対して新たに定義されたＵＥコンテキストであることができる。 
【００７７】
前記ＭＢＭＳサービス識別子のリストは、ＵＥ５０２が参加したＭＢＭＳサービスのそれぞれに対して現在ＭＢＭＳサービスが可能な地域に対する情報をさらに含むことができる。例えば、前記ＭＢＭＳサービスが可能な地域に対する情報は、サービス地域コード(ＳＡＣ)またはマルチキャスト領域情報を意味する。前記サービス地域情報を利用して、ＲＮＣ５０４は、ＵＥ５０２がＭＢＭＳサービスが可能な地域に属していないセルにある場合に、ＵＥ５０２が前記ＭＢＭＳサービスが可能な他のセルに移動するように要求することができる。
【００７８】
ステップ５６４で、ＲＮＣ５０４は、前記ＭＢＭＳサービスリスト応答メッセージに含まれているＭＢＭＳサービス識別子のリストに該当するＭＢＭＳサービスコンテキストにＵＥ５０２の情報を追加する。このとき、前記ＭＢＭＳサービスリスト応答メッセージに含まれているＭＢＭＳサービス識別子に該当する第２ＭＢＭＳサービスコンテキストがＲＮＣ５０４に存在しなければ、ＲＮＣ５０４は、新たな第２ＭＢＭＳサービスコンテキストをまず生成する。また、ＵＥ５０２がＮ個のＭＢＭＳサービスに同時に参加している場合に、すなわち、前記ＭＢＭＳサービス識別子のリストに含まれているＭＢＭＳサービス識別子の個数がＮ個であれば、ＲＮＣ５０４は、前記Ｎ個の第２ＭＢＭＳサービスコンテキストのそれぞれにＵＥ５０２の情報を追加する。
【００７９】
図９に示されていないが、本発明の変形された実施形態で、ＵＥは、ＲＲＣ接続設定が完了された以後にＭＢＭＳサービス活性化指示者を含むＭＢＭＳサービス要求メッセージをＲＮＣに伝送する。そうすると、前記ＭＢＭＳサービス要求メッセージに応答して、ＲＮＣは、前記ＳＧＳＮから前記ＵＥが参加しているＭＢＭＳサービスのＭＢＭＳサービス識別子を要求し、前記ＳＧＳＮから前記ＵＥが参加しているＭＢＭＳサービスのＭＢＭＳサービス識別子を含むＭＢＭＳサービス識別子のリストを受信して自分のＭＢＭＳサービスコンテキストに前記ＵＥの情報を追加する。
【００８０】
前述した手順を通じて、ＲＮＣ５０４は、ＲＲＣ接続を有しているＵＥ５０２がＭＢＭＳサービスに参加していることを認識し、ＵＥ５０２が参加したＭＢＭＳサービスのセッションが開始されるとき、専用チャンネルを通じてＰＡＧＩＮＧ ＴＹＰＥ２メッセージを使用してＵＥ５０２を呼び出す。
図１０乃至図１２は、図７乃至図９に示した手順に従ってＵＥ５０２の動作を示すフローチャートである。
【００８１】
図１０乃至図１２を参照すると、ステップ６０２、６１０、及び６２０で、ＵＥ５０２は、図５で説明した手順を通じてＭＢＭＳサービスに参加する。ステップ６０４、６１２、及び６２２で、ＵＥ５０２は、ＲＲＣ接続が存在するか否かを監視する。前記ＲＲＣ接続が存在しないことを感知すれば、ステップ６０６、６１４、及び６２４で、ＵＥ５０２は、ＲＲＣ接続再設定要求があるか否かを監視する。前記ＲＲＣ接続再設定要求があることを感知すれば、ＵＥ５０２は、ＲＲＣ接続を設定するＲＮＣ５０４に前記参加したＭＢＭＳサービスを示すＭＢＭＳサービス識別子をＲＲＣメッセージに乗せて伝達した後に、ステップ６０８、６１６、または６２６に進行する。
【００８２】
図１０のステップ６０８で、ＵＥ５０２は、ＲＲＣ接続メッセージ、すなわち、ＲＲＣ接続設定要求メッセージまたはＲＲＣ接続設定完了メッセージにＭＢＭＳサービス識別子を挿入して伝送する。図１１のステップ６１６で、ＵＥ５０２は、ＭＢＭＳサービス要求メッセージのような専用メッセージにＭＢＭＳサービス識別子を挿入して伝送する。
図１２のステップ６２６で、ＵＥ５０２は、ＲＲＣ接続メッセージ、すなわち、ＲＲＣ接続設定要求メッセージまたはＲＲＣ接続設定完了メッセージにＭＢＭＳサービス活性化指示者を挿入して伝送する。本発明の変形された実施形態によれば、ステップ６２６で、ＵＥ５０２は、ＭＢＭＳサービス要求メッセージのような専用メッセージにＭＢＭＳサービス活性化指示者を挿入して伝送する。
【００８３】
図１３乃至図１５は、図７乃至図９に示した手順に従って、第２ＭＢＭＳサービスコンテキストを管理するＲＮＣ５０４の動作を示すフローチャートである。
まず、図１３を参照すると、ステップ７０２で、ＲＮＣ５０４は、ＵＥ５０２からＲＲＣ接続設定要求メッセージ(またはＲＲＣ接続設定完了メッセージ)を受信し、ステップ７０４で、ＲＮＣ５０４は、前記ＲＲＣ接続設定要求メッセージにＭＢＭＳサービス識別子が含まれているか否かを判断する。
【００８４】
前記ＲＲＣ接続設定要求メッセージにＭＢＭＳサービス識別子が含まれていない場合には、ＲＮＣ５０４は、一般的なサービスのためのＲＲＣ接続設定手順を遂行する(図示せず)。一方、前記ＲＲＣ接続設定要求メッセージにＭＢＭＳサービス識別子が含まれている場合には、ステップ７０６で、ＲＮＣ５０４は、ＵＥ５０２が前記ＭＢＭＳサービスに対して有効であるか否かをＳＧＳＮ５０６を通じて確認するためのＭＢＭＳ ＵＥ認証要求メッセージをＳＧＳＮ５０６に伝送する。ステップ７０８で、ＲＮＣ５０４は、前記ＭＢＭＳ ＵＥ認証要求メッセージに対する有効な応答が受信されたか否かを判断する。前記ＭＢＭＳ ＵＥ認証要求メッセージに対する有効な応答が受信された場合に、ＲＮＣ５０４は、ＵＥ５０２に対するＭＢＭＳサービスコンテキストを更新するためにステップ７１２に進行する。一方、前記ＭＢＭＳ ＵＥ認証要求メッセージに対する有効な応答が受信されなかった場合に、ステップ７１０で、ＲＮＣ５０４は、ＵＥ５０２にＭＢＭＳサービス失敗メッセージを伝送する。
【００８５】
ステップ７１２で、ＲＮＣ５０４は、前記ＭＢＭＳサービス識別子に対応するＭＢＭＳサービスコンテキストを探索する。ステップ７１４で、前記ＭＢＭＳサービス識別子に対応するＭＢＭＳサービスコンテキストが存在しない場合に、ステップ７２０で、ＲＮＣ５０４は、前記ＭＢＭＳサービス識別子に対応する新たなＭＢＭＳサービスコンテキストを生成する。その後に、ステップ７２２で、ＲＮＣ５０４は、前記新たに生成されたＭＢＭＳサービスコンテキストにＵＥ５０２の識別子を追加する。また、ステップ７２４で、ＲＮＣ５０４は、前記ＭＢＭＳサービスコンテキストに追加された前記ＵＥ識別子を該当ＵＥコンテキストとリンクする。
【００８６】
一方、ステップ７１４で、前記ＭＢＭＳサービス識別子に対応するＭＢＭＳサービスコンテキストが存在する場合に、ステップ７１６で、ＲＮＣ５０４は、前記検索されたＭＢＭＳサービスコンテキストにＵＥ５０２の識別子が貯蔵されているか否かを検索する。ステップ７１８で、前記ＵＥ識別子が前記ＭＢＭＳサービスコンテキストに存在する場合に、ＲＮＣ５０４は、前記ＵＥ識別子を新たに追加する必要はない。しかし、前記ＵＥ識別子が前記ＭＢＭＳサービスコンテキストに存在しない場合に、ＲＮＣ５０４は、ステップ７２２に進行して前記ＵＥ識別子を追加し、ステップ７２４で、前記追加されたＵＥ識別子を該当ＵＥコンテキストとリンクする。
【００８７】
次に、図１４を参照すると、ステップ７３０で、ＵＥ５０２とＲＮＣ５０４との間にＲＲＣ接続設定が完了されると、ステップ７３２で、ＲＮＣ５０４は、ＵＥ５０２からＭＢＭＳサービス識別子を含むＭＢＭＳサービス要求メッセージを受信する。ステップ７３４で、ＲＮＣ５０４は、前記ＭＢＭＳサービス要求メッセージに応じて、ＵＥ５０２が要請したＭＢＭＳサービスが有効であるか否かをＳＧＳＮ５０６に照会するためにＭＢＭＳ ＵＥ認証要求メッセージを伝送する。
【００８８】
ステップ７３６で、前記ＭＢＭＳ ＵＥ認証要求メッセージに対する有効な応答が受信された場合に、ＲＮＣ５０４は、ＵＥ５０２に対するＲＮＣ５０４でのＭＢＭＳサービスコンテキストを更新するためにステップ７４０に進行する。一方、ステップ７３６で、前記ＭＢＭＳ ＵＥ認証要求メッセージに対する有効な応答が受信されなかった場合に、ＲＮＣ５０４は、ステップ７３８に進行してＵＥ５０２にＭＢＭＳサービス失敗メッセージを伝送する。
【００８９】
ステップ７４０で、ＲＮＣ５０４は、前記ＭＢＭＳサービス識別子に対応するＭＢＭＳサービスコンテキストを探索する。ステップ７４２で、前記ＭＢＭＳサービス識別子に対応するＭＢＭＳサービスコンテキストが存在しない場合に、ステップ７４８に進行して、ＲＮＣ５０４は、前記ＭＢＭＳサービス識別子に該当する新たなＭＢＭＳサービスコンテキストを生成する。その後に、ステップ７５０で、ＲＮＣ５０４は、前記新たに生成されたＭＢＭＳサービスコンテキストにＵＥ５０２の識別子を追加し、ステップ７５２で、前記ＭＢＭＳサービスコンテキストに追加された前記ＵＥ識別子を該当ＵＥコンテキストとリンクする。
【００９０】
しかし、ステップ７４２で、前記ＭＢＭＳサービス識別子に対応するＭＢＭＳサービスコンテキストが存在する場合に、ステップ７４４で、ＲＮＣ５０４は、前記検索されたＭＢＭＳサービスコンテキストにＵＥ５０２の識別子が貯蔵されているか否かを検索する。ステップ７４６で、前記ＵＥ識別子が前記ＭＢＭＳサービスコンテキストに存在する場合に、ＲＮＣ５０４は、前記ＵＥ識別子を新たに追加する必要はない。一方、前記ＵＥ識別子が前記ＭＢＭＳサービスコンテキストに存在しない場合に、ステップ７５０に進行して、ＲＮＣ５０４は、前記ＭＢＭＳサービスコンテキストに前記ＵＥ識別子を追加し、ステップ７５２で、前記追加されたＵＥ識別子を該当ＵＥコンテキストとリンクする。
【００９１】
図１５を参照すると、ステップ７６０で、ＲＮＣ５０４は、ＭＢＭＳサービスに参加した後に、ＰＳシグナリングを解除したＵＥ５０２からＲＲＣ接続設定要求メッセージを受信する。ステップ７６２で、ＲＮＣ５０４は、ＵＥ５０２からＭＢＭＳサービス活性化指示者を含むＲＲＣ接続メッセージまたは専用ＲＲＣメッセージであるＭＢＭＳサービス要求メッセージを受信したか否かを監視する。
前記ＭＢＭＳサービス活性化指示者を受信した場合に、ステップ７６４で、ＲＮＣ５０４は、 ＵＥ５０２が参加したＭＢＭＳサービスを含むＭＢＭＳサービスリストを要求するためのＭＢＭＳサービスリスト要求メッセージをＳＧＳＮ５０６に伝送する。
【００９２】
ステップ７６６で、ＲＮＣ５０４は、前記ＭＢＭＳサービスリスト要求メッセージに応じて、ＭＢＭＳサービスリスト応答メッセージをＳＧＳＮ５０６から成功的に受信したか否かを監視する。ＲＮＣ５０４がＳＧＳＮ５０６からＭＢＭＳサービスリスト応答メッセージを成功的に受信できない場合に、ステップ７６８で、ＲＮＣ５０４は、ＵＥ５０２にＭＢＭＳサービス失敗メッセージを伝送して動作を終了する。
【００９３】
一方、ＵＥ５０２が参加したＭＢＭＳサービスに対する少なくとも１つのＭＢＭＳサービス識別子を含むＭＢＭＳサービスリスト応答メッセージがＳＧＳＮ５０６から受信されると、ステップ７７０で、ＲＮＣ５０４は、前記ＭＢＭＳサービスリスト応答メッセージから抽出したＭＢＭＳサービス識別子に該当するＭＢＭＳサービスコンテキストが存在するか否かを確認する。
【００９４】
ステップ７７２で、ＭＢＭＳサービスコンテキストが存在する場合に、ＲＮＣ５０４は、ステップ７７４に進行する。しかし、該当ＭＢＭＳサービスコンテキストが存在しない場合に、ステップ７７８で、ＲＮＣ５０４は、前記ＭＢＭＳサービス識別子に該当するＭＢＭＳサービスコンテキストを生成する。継続して、ステップ７８０で、ＲＮＣ５０４は、前記生成されたＭＢＭＳサービスコンテキストにＵＥ５０２の識別子情報を追加し、ステップ７８２で、前記ＭＢＭＳサービスコンテキストに追加された前記ＵＥ識別子を該当ＵＥコンテキストとリンクする。
【００９５】
ステップ７７４で、ＲＮＣ５０４は、前記ＭＢＭＳサービスコンテキストにＵＥ５０２の識別子が含まれているか否かを確認する。ステップ７７６で、前記ＭＢＭＳサービスコンテキストにＵＥ５０２が含まれていない場合に、ステップ７８０で、ＲＮＣ５０４は、前記ＭＢＭＳサービスコンテキストにＵＥ５０２の情報を追加する。その後に、ステップ７８２で、ＲＮＣ５０４は、ＵＥ５０２の識別子を該当ＵＥコンテキストとリンクする。しかし、ステップ７７６で、前記ＭＢＭＳサービスコンテキストにＵＥ５０２の識別子が含まれている場合に、ＲＮＣ５０４は、動作を終了する。
【００９６】
図１６は、図７及び図８に示した手順に関連してＭＢＭＳサービスコンテキストを管理するＳＧＳＮ５０６の動作を示すフローチャートである。
図１６を参照すると、ステップ８０２で、ＳＧＳＮ５０６は、ＵＥ５０２が受信しようとするＭＢＭＳサービスを示すＭＢＭＳサービス識別子を含むＭＢＭＳ ＵＥ認証要求メッセージをＲＮＣ５０４から受信する。前記ＭＢＭＳ ＵＥ認証要求メッセージは、ＵＥ５０２のＵＥ識別子及びＲＮＣ５０４のＲＮＣ識別子を追加的に含む。ＳＧＳＮ５０６は、前記ＭＢＭＳ ＵＥ認証要求メッセージに応答して、ＵＥ５０２に対するＭＢＭＳサービス認証を選択的に遂行することができる。すなわち、ステップ８０４で、ＳＧＳＮ５０６は、ＵＥ５０２がＭＢＭＳサービスに参加したか否かを判断してサービス認証動作を遂行する。
【００９７】
ＵＥ５０２のサービス認証に成功した場合に、ステップ８０６に進行して、ＳＧＳＮ５０６は、前記ＭＢＭＳサービス識別子に該当するＭＢＭＳサービスコンテキストが存在するか否かを確認する。しかし、ＵＥ５０２のサービス認証に失敗した場合に、ステップ８２２で、ＳＧＳＮ５０６は、ＲＮＣ５０４にＭＢＭＳ ＵＥ有効失敗メッセージを伝送してＵＥ５０２がＳＧＳＮ５０６を通じて前記ＭＢＭＳサービスに参加しなかったことを知らせる。
【００９８】
一方、ステップ８０８で前記ＭＢＭＳサービスコンテキストが存在する場合に、ステップ８１０で、ＳＧＳＮ５０６は、前記ＭＢＭＳサービスコンテキストにＵＥ５０２の識別子が含まれているか否かを確認する。しかし、ステップ８０８で、前記ＭＢＭＳサービスコンテキストが存在しない場合に、ステップ８２２に進行して、ＳＧＳＮ５０６は、ＲＮＣ５０４にＭＢＭＳ ＵＥ有効失敗メッセージを伝送して、ＵＥ５０２がＳＧＳＮ５０６を通じて前記ＭＢＭＳサービスに参加しなかったことを通報した後に動作を終了する。
【００９９】
ステップ８１２で、ＳＧＳＮ５０６は、前記ＭＢＭＳサービスコンテキストにＵＥ５０２の識別子が含まれていない場合に、ステップ８２２で、ＳＧＳＮ５０６は、ＲＮＣ５０４にＭＢＭＳ ＵＥ有効失敗メッセージを伝送して、ＵＥ５０２がＳＧＳＮ５０６を通じて前記ＭＢＭＳサービスに参加しなかったことを通報する。一方、前記ＭＢＭＳサービスコンテキストにＵＥ５０２の識別子が含まれている場合に、ステップ８１４で、ＳＧＳＮ５０６は、ＲＮＣ５０４にＭＢＭＳ ＵＥ認証応答メッセージを伝送して、ＵＥ５０２がＳＧＳＮ５０６を通じて前記ＭＢＭＳサービスに参加したことを知らせる。
【０１００】
ステップ８１６で、ＳＧＳＮ５０６は、前記ＭＢＭＳサービスコンテキストにＲＮＣ５０４のＲＮＣ識別子が含まれているか否かを確認する。ステップ８１８で、前記ＭＢＭＳサービスコンテキストにＲＮＣ５０４のＲＮＣ識別子が含まれていない場合に、ステップ８２０で、ＳＧＳＮ５０６は、前記ＭＢＭＳサービスコンテキストにＲＮＣ５０４の情報を追加する。一方、ステップ８１８で、ＲＮＣ５０４のＲＮＣ識別子が前記ＭＢＭＳサービスコンテキストにすでに含まれている場合に、ＳＧＳＮ５０６は、動作を終了する。
【０１０１】
図１７は、図９に示した手順に関連してＭＢＭＳサービスコンテキストを管理するＳＧＳＮ５０６の動作を示すフローチャートである。
図１７を参照すると、ステップ８３０で、ＳＧＳＮ５０６は、ＵＥ５０２が参加したＭＢＭＳサービスを含むＭＢＭＳサービスリストを要求するためのＭＢＭＳサービスリスト要求メッセージをＲＮＣ５０４から受信する。
【０１０２】
ステップ８３２で、ＳＧＳＮ５０６は、ＵＥ５０２に対するＭＢＭＳサービス認証を選択的に遂行することができる。前記サービス認証に失敗した場合に、ステップ８５２で、ＳＧＳＮ５０６は、ＲＮＣ５０４にＭＢＭＳサービスリスト失敗メッセージを伝送して、ＵＥ５０２がＳＧＳＮ５０６を通じて何のＭＢＭＳサービスにも参加しなかったことを通報した後に、動作を終了する。一方、前記サービス認証に成功した場合に、ステップ８３４で、ＳＧＳＮ５０６は、ＵＥ５０２がＳＧＳＮ５０６を通じて参加したＭＢＭＳサービス識別子をＵＥ５０２のコンテキストから探索する。
【０１０３】
ステップ８３６で、前記ＭＢＭＳサービスに対するＭＢＭＳサービス識別子を探索するのに失敗した場合に、ステップ８５２で、ＳＧＳＮ５０６は、ＲＮＣ５０４にＭＢＭＳサービスリスト失敗メッセージを伝送して、ＵＥ５０２がＳＧＳＮ５０６を通じて何のＭＢＭＳサービスにも参加しなかったことを通報した後に、動作を終了する。一方、ステップ８３６で、前記ＭＢＭＳサービス識別子を探索するのに成功した場合に、ステップ８３８で、ＳＧＳＮ５０６は、ステップ８３６から得た前記ＭＢＭＳサービス識別子に該当するＭＢＭＳサービスコンテキストが存在するか否かを確認する。ステップ８４０で、前記ＭＢＭＳサービスコンテキストを探索するのに失敗した場合に、ステップ８５２で、ＳＧＳＮ５０６は、ＲＮＣ５０４にＭＢＭＳサービスリスト失敗メッセージを伝送して、ＵＥ５０２がＳＧＳＮ５０６を通じて何のＭＢＭＳサービスにも参加しなかったことを通報した後に、動作を終了する。
【０１０４】
ステップ８４０で、前記ＭＢＭＳサービスコンテキストが存在する場合に、ステップ８４２で、ＳＧＳＮ５０６は、前記ＭＢＭＳサービスコンテキストにＵＥ５０２の識別子が含まれているか否かを確認する。ステップ８４４で、前記ＭＢＭＳサービスコンテキストにＵＥ５０２の識別子が含まれていない場合に、ステップ８５２で、ＳＧＳＮ５０６は、ＲＮＣ５０４にＭＢＭＳサービスリスト失敗メッセージを伝送して、ＵＥ５０２がＳＧＳＮ５０６を通じて何のＭＢＭＳサービスにも参加しなかったことを通報した後に、動作を終了する。
【０１０５】
他の実施形態において、前記ＭＢＭＳサービスコンテキストにＵＥ５０２の識別子が含まれていない場合であっても、ＵＥ５０２が前記ＭＢＭＳサービスに正常的に参加した場合には、ＳＧＳＮ５０６は、ＭＢＭＳサービスリスト失敗メッセージを伝送せず、前記ＭＢＭＳサービスコンテキストにＵＥ５０２の情報を追加する。
ステップ８４４で、前記ＭＢＭＳサービスコンテキストにＵＥ５０２の識別子が含まれている場合に、ステップ８４６で、ＳＧＳＮ５０６は、ＲＮＣ５０４にＭＢＭＳサービスリスト応答メッセージを伝送して、ＵＥ５０２がＳＧＳＮ５０６を通じてＭＢＭＳサービスに参加したことを知らせる。前記ＭＢＭＳサービスリスト応答メッセージは、図９のステップ５６０に示すように、ステップ８３０で、ＭＢＭＳサービスリスト要求メッセージに含まれているＵＥ識別子に該当するＵＥ５０２が現在参加しているＭＢＭＳサービスに対する情報、すなわち、ＭＢＭＳサービス識別子のリストを含む。
【０１０６】
また、ステップ８４８で、ＳＧＳＮ５０６は、前記ＭＢＭＳサービスコンテキストにＲＮＣ５０４のＲＮＣ識別子が含まれているか否かを確認する。ステップ８５０で、前記ＭＢＭＳサービスコンテキストにＲＮＣ５０４のＲＮＣ識別子が含まれていない場合には、ステップ８５４で、ＳＧＳＮ５０６は、前記ＭＢＭＳサービスコンテキストにＲＮＣ５０４の情報を追加する。一方、ステップ８５０で、ＲＮＣ５０４のＲＮＣ識別子が前記ＭＢＭＳサービスコンテキストに含まれている場合に、ＳＧＳＮ５０６は、動作を終了する。
【０１０７】
［２.ＳＧＳＮでのサービスコンテキストの管理］
本発明の第２実施形態では、ＭＢＭＳサービスに参加したが、ＳＧＳＮがＰＭＭ−Ｉｄｌｅ／ＲＲＣ−ＣｏｎｎｅｃｔｅｄモードにあるＵＥに対する情報を管理できるようにするために、前記ＵＥがＭＢＭＳサービスに成功的に参加した端末機であることを示すＭＢＭＳサービス関連情報を所定のメッセージとともにＲＮＣを通じてＳＧＳＮに伝送する。ＳＧＳＮは、自分が管理するＭＢＭＳサービスコンテキストのうち、前記ＵＥが要請した該当ＭＢＭＳサービスコンテキストに前記ＵＥの情報を更新する。従って、ＳＧＳＮは、回線交換サービスのためにＲＲＣ接続を設定した前記ＵＥのリストを自分のＭＢＭＳサービスコンテキストとともに管理することができる。
【０１０８】
前記ＭＢＭＳサービス関連情報は、前記端末機が参加したＭＢＭＳサービスを示すＭＢＭＳサービス識別子に該当するか、または前記端末機が任意のＭＢＭＳサービスに参加したことを示すＭＢＭＳサービス活性化指示者に該当する。
図１８乃至図２１は、ＭＢＭＳサービスに参加したが、ＰＭＭ−ＩｄｌｅモードにあるＵＥに対して、前記ＵＥに該当するＳＧＳＮのＭＢＭＳサービスコンテキストに前記ＵＥの情報を追加する手順を示す。図１８乃至図２１において、参照番号９０２は、ＭＢＭＳサービスを受信するＵＥを示し、参照番号９０４は、ＵＥ９０２に該当するＭＢＭＳサービスのためのＲＮＣを示し、参照番号９０６は、前記ＭＢＭＳサービスのためのＣＮのＳＧＳＮを示す。また、ＳＧＳＮ９０６のＭＢＭＳサービスコンテキストは“第１ＭＢＭＳサービスコンテキスト”であると称され、ＲＮＣ９０４のＭＢＭＳサービスコンテキストは、“第２ＭＢＭＳサービスコンテキスト”であると称される。ＵＥ９０２は、所望のＭＢＭＳサービスに参加したが、ＳＧＳＮ９０６を通じて現在進行中であるパケット交換サービスのないＰＭＭ−Ｉｄｌｅモードにある。ＰＭＭ−Ｉｄｌｅモードにおいて、ＭＢＭＳサービスを受信するＵＥ９０２に対してＳＲＮＣが存在しないので、ＳＧＳＮ９０６は、ＵＥ９０２が現在位置しているＲＮＣ９０４にＭＢＭＳサービス関連情報を伝送しない。
【０１０９】
より具体的に、図１８及び図１９は、ＵＥ９０２が回線交換サービスのためにＲＲＣ接続をＲＮＣ９０４に要求するときＭＢＭＳサービス関連情報を貯蔵する手順を示す。
図１８を参照すると、ステップ９１０で、ＵＥ９０２は、回線交換サービスを受信するためにＲＲＣ接続をＲＮＣ９０４に設定する。このとき、ＵＥ９０２は、ＲＮＣ９０４に伝送するＲＲＣ接続設定要求メッセージまたはＲＲＣ接続設定完了メッセージに所望のＭＢＭＳサービス識別子を挿入して、前記ＭＢＭＳサービス識別子に該当するＭＢＭＳサービスコンテキストにＵＥ９０２の情報を追加させることをＲＮＣ９０４に要求する。ＵＥ９０２とＲＮＣ９０４との間にＲＲＣ接続が成功的に設定されると、ステップ９１２で、ＲＮＣ９０４は、ＵＥ９０２が前記ＭＢＭＳサービスに参加したか否かを判断するために、ＵＥ９０２に対する確認を要求するためのＭＢＭＳ ＵＥ認証要求メッセージをＳＧＳＮ９０６に伝送する。前記ＭＢＭＳ ＵＥ認証要求メッセージは、ＵＥ９０２のＵＥ識別子、前記ＭＢＭＳサービス識別子、及びＲＮＣ９０４のＲＮＣ識別子を含む。
【０１１０】
ＳＧＳＮ９０６は、前記ＭＢＭＳ ＵＥ認証要求メッセージに含まれている前記ＭＢＭＳサービス識別子に該当する第２ＭＢＭＳサービスコンテキストが存在し、前記ＵＥ識別子が前記第２ＭＢＭＳサービスコンテキストに存在するかを判断する。そのような場合に、ステップ９１６で、ＳＧＳＮ９０６は、ＵＥ９０２が前記ＭＢＭＳサービスに対して有効であることを通報するために、ＭＢＭＳ ＵＥ認証応答メッセージをＲＮＣ９０４に伝送する。前記ＭＢＭＳ ＵＥ認証応答メッセージは、前記ＭＢＭＳサービスに対して有効なＵＥのＵＥリスト及び前記ＭＢＭＳサービスが可能な地域に対する情報を含むことができる。
【０１１１】
他の実施形態において、ＳＧＳＮ９０６は、前記ＭＢＭＳ ＵＥ認証要求メッセージに含まれている前記ＵＥ識別子に該当するＭＭコンテキストがＳＧＳＮ９０６に存在し、前記ＭＭコンテキストに前記ＭＢＭＳサービス識別子に該当するＭＢＭＳサービスコンテキストが存在する場合に、ＵＥ９０２が前記ＭＢＭＳサービスに対して有効なもので判断する。
また、ステップ９１４で、前記ＭＢＭＳ ＵＥ認証要求メッセージを受信するＳＧＳＮ９０６は、ＵＥ９０２が回線交換サービスのためのＲＲＣ−Ｃｏｎｎｅｃｔｅｄ、すなわち、ＣＭＭ−Ｃｏｎｎｅｃｔｅｄモードにあることを示すＵＥの情報を前記第２ＭＢＭＳサービスコンテキストに貯蔵する。ステップ９１８で、ＲＮＣ９０４は、前記ＭＢＭＳ ＵＥ認証応答メッセージに応答して、自分の第１ＭＢＭＳサービスコンテキストにＵＥ９０２の情報を追加する。
【０１１２】
図１９を参照すると、ステップ９２０で、ＵＥ９０２は、回線交換サービスを受信するためにＲＲＣ接続をＲＮＣ９０４に設定する。ここで、ＵＥ９０２は、ＲＮＣ９０４に伝送するＲＲＣ接続設定要求メッセージまたはＲＲＣ接続設定完了メッセージにＵＥ９０２が参加した少なくとも１つのＭＢＭＳサービスが存在することを示すＭＢＭＳサービス活性化指示者を挿入する。前記ＭＢＭＳサービス活性化指示者は、ＵＥ９０２が１つ以上のＭＢＭＳサービスに参加した場合に設定される。
【０１１３】
ＵＥ９０２とＲＮＣ９０４との間にＲＲＣ接続が成功的に設定された場合に、ステップ９２２で、ＲＮＣ９０４は、ＵＥ９０２があるＭＢＭＳサービスに参加したかを判断するために、ＳＧＳＮ９０６にＵＥ９０２に対する確認を要求するためのＭＢＭＳサービスリスト要求メッセージを伝送する。前記ＭＢＭＳサービスリスト要求メッセージは、ＵＥ９０２のＵＥ識別子及びＲＮＣ９０４のＲＮＣ識別子を含む。
【０１１４】
前記ＭＢＭＳサービスリスト要求メッセージに含まれている前記ＵＥ識別子に該当するＭＭコンテキストがＳＧＳＮ９０６に存在し、前記ＭＭコンテキストにＭＢＭＳサービスコンテキストが存在する場合に、ステップ９２６で、ＳＧＳＮ９０６は、前記ＭＭコンテキストに含まれているすべてのＭＢＭＳサービス識別子を含むＭＢＭＳサービスリスト応答メッセージをＲＮＣ９０４に伝送する。すなわち、前記ＭＢＭＳサービスリスト応答メッセージは、ＵＥ９０２が参加したすべてのＭＢＭＳサービスに対するＭＢＭＳサービス識別子のリストを含む。また、前記ＭＢＭＳサービスリスト応答メッセージは、ＵＥ９０２が参加した少なくとも１つのＭＢＭＳサービスが可能な地域に対する情報を含むことができる。
【０１１５】
また、ステップ９２４で、ＳＧＳＮ９０６は、前記ＭＢＭＳサービスリスト要求メッセージに応答して、ＵＥ９０２が回線交換サービスのためのＲＲＣ−Ｃｏｎｎｅｃｔｅｄ、すなわち、ＣＭＭ−Ｃｏｎｎｅｃｔｅｄモードにあることを示すＵＥの情報をＭＢＭＳサービスコンテキストに貯蔵する。ステップ９２８で、ＲＮＣ９０４は、前記ＭＢＭＳサービスリスト応答メッセージに応答して、自分のＭＢＭＳサービスコンテキストにＵＥ９０２のＵＥ情報を追加する。
【０１１６】
前記では、ＵＥがＭＢＭＳサービス識別子を利用する場合とＭＢＭＳサービス活性化指示者を利用する場合とを区分して説明した。しかし、本発明の変形された実施形態において、ＵＥは、前記ＭＢＭＳサービス識別子及び前記ＭＢＭＳサービス活性化指示者のすべてを利用することができる。すなわち、ＵＥが１つのＭＢＭＳサービスにのみ参加した場合に、前記ＭＢＭＳサービス識別子をＲＮＣを通じてＳＧＳＮに伝送し、２個以上のＭＢＭＳサービスに参加した場合に、前記ＭＢＭＳサービス活性化指示者をＲＮＣを通じてＳＧＳＮに伝送する。結果的に、ＳＧＳＮは、ＲＮＣからＭＢＭＳ ＵＥ認証要求メッセージまたはＭＢＭＳサービスリスト要求メッセージを通じて前記２個の情報のうち１つを受信し、前述したような手順を通じて、自分のＭＢＭＳサービスコンテキストにＵＥの情報を追加し、それに対する応答をＲＮＣに伝達する。
【０１１７】
図２０は、ＰＭＭ−ＩＤＬＥ状態でＭＢＭＳサービスを受信しているＵＥ９０２が回線交換サービスのためのＲＲＣ接続をＲＮＣ９０４に要求するとき、ＰＳネットワークにも接続設定を要請してＰＭＭ−ＣＯＮＮＥＣＴＥＤモードに遷移し、ＲＮＣ９０４及びＳＧＳＮ９０６にＭＢＭＳサービス関連情報を貯蔵する手順を示す。
図２０を参照すると、ステップ９３０で、ＵＥ９０２は、回線交換サービスを受信するためにＲＲＣ接続をＲＮＣ９０４に設定する。ステップ９３２で、ＵＥ９０２は、ＭＢＭＳサービスに参加した状態でＲＲＣ接続を要請する場合に、ＰＭＭ−ＳＩＧＮＡＬＬＩＮＧ連結をともに要請するもので決定する。すなわち、ＵＥ９０２のＲＲＣ階層は、上位階層にＰＭＭ−ＣＯＮＮＥＣＴＥＤモードに遷移することを要求する。ここで、“上位階層”とは、パケット移動性管理個体(Packet Mobility Management Entity；ＰＭＭ個体)を意味する。前記ＰＭＭ個体が前記ＲＲＣ階層からの要請に応答してＰＳシグナリングを連結することを決定すると、ステップ９３４で、ＵＥ９０２は、ＰＳシグナリングの連結を要請するためのサービス要求メッセージをＮＡＳインタフェースを通じてＳＧＳＮ９０６に伝送した後に、ステップ９３６で、ＰＭＭ−Ｃｏｎｎｅｃｔｅｄモードに遷移する。ＳＧＳＮ９０６とＲＮＣ９０４との間の次の動作は、ＰＭＭ−ＣｏｎｎｅｃｔｅｄモードにあるＵＥのための一般的なＭＢＭＳ ＵＥリンキング手順に従う。
【０１１８】
前記サービス要求メッセージは、前記ＭＢＭＳサービス識別子を含むか、またはＭＢＭＳサービス活性化指示者を含む。前記ＭＢＭＳサービス活性化指示者は、ＩＥとして前記サービス要求メッセージに追加されるか、またはＮＡＳメッセージにＣａｕｓｅ Ｖａｌｕｅ(例えば、Cause=“MBMS Service Activation”)として追加される。
ステップ９３８で、ＳＧＳＮ９０６は、前記サービス要求メッセージに応答して、ＵＥ９０２のＭＭコンテキスト(Context)でＵＥ９０２の状態情報をＰＭＭ−Ｃｏｎｎｅｃｔｅｄに変更する。ステップ９４０で、ＳＧＳＮ９０６は、ＲＮＣ９０４にＭＢＭＳ ＵＥリンキング要求メッセージを通じてＵＥ９０２のＭＢＭＳサービス識別子のリストを伝達する。ステップ９４２で、ＲＮＣ９０４は、前記ＭＢＭＳサービス識別子のリストを参照して前記ＵＥ９０２の情報を前記ＲＮＣ９０４内の該当ＭＢＭＳサービスコンテキストに追加する。ステップ９４４で、ＲＮＣ９０４は、ＭＢＭＳ ＵＥリンキング応答メッセージをＳＧＳＮ９０６に伝送して、ＵＥ９０２の情報が自分のＭＢＭＳサービスコンテキストに成功的に追加されたことをＳＧＳＮ９０６に通報する。
【０１１９】
図２１は、回線交換サービスのためにＲＲＣ接続をＲＮＣ９０４に要求するとき、ＰＭＭ−Ｉｄｌｅ状態でＭＢＭＳサービスを受信しているＵＥ９０２は、ＵＥ９０２からＲＮＣ９０４にＵｕメッセージを通じてＭＢＭＳサービス関連情報を貯蔵し、ＵＥ９０２からＳＧＳＮ９０６にＮＡＳメッセージを通じてＭＢＭＳサービス関連情報を貯蔵する手順を示す。
【０１２０】
このような手順で、ＳＧＳＮ９０６に伝送されるＭＢＭＳサービス関連情報は、ＭＢＭＳサービス識別子またはＭＢＭＳサービス活性化指示者(MBMS Service Activation Indicator)を含む。下記の説明では、ＭＢＭＳサービス識別子をＭＢＭＳサービス活性化指示者として使用する場合の動作を説明する。
図２１を参照すると、ステップ９５０で、ＵＥ９０２は、回線交換サービスを受信するためにＲＲＣ接続をＲＮＣ９０４に設定する。このとき、回線交換サービスのための前記ＲＲＣ接続を設定するために、ＵＥ９０２からＲＮＣ９０４に伝送するＲＲＣ接続メッセージ、すなわち、ＲＲＣ接続設定要求メッセージ、ＲＲＣ接続設定完了メッセージ、またはＭＢＭＳサービス要求メッセージにＵＥ９０２が参加した少なくとも１つのＭＢＭＳサービスを示す少なくとも１つのＭＢＭＳサービス識別子が含まれる。
【０１２１】
ＵＥ９０２とＲＮＣ９０４との間にＲＲＣ接続が成功的に設定されると、ステップ９５２で、ＲＮＣ９０４は、ＵＥ９０２が前記ＭＢＭＳサービスに参加したか否かを確認するためのＭＢＭＳ ＵＥ認証要求メッセージをＳＧＳＮ９０６に伝送する。前記ＭＢＭＳ ＵＥ認証要求メッセージは、ＵＥ９０２のＵＥ識別子、前記ＭＢＭＳサービス識別子、及びＲＮＣ９０４のＲＮＣ識別子を含む。
【０１２２】
前記ＭＢＭＳサービス識別子に該当するＭＢＭＳサービスコンテキストがＳＧＳＮ９０６の内に存在し、前記ＵＥ識別子が前記ＭＢＭＳサービスコンテキストに存在する場合に、ステップ９５４で、ＳＧＳＮ９０６は、ＵＥ９０２が前記ＭＢＭＳサービスに対して有効であることをＲＮＣ９０４に通報するＭＢＭＳ ＵＥ認証応答メッセージを伝送する。前記ＭＢＭＳ ＵＥ認証応答メッセージは、前記ＭＢＭＳサービスが可能な地域に対する情報をさらに含むことができる。
【０１２３】
また、前記ＵＥ識別子に該当するＭＭコンテキストが前記ＳＧＳＮ９０６の内に存在し、前記ＭＭコンテキストに前記ＭＢＭＳサービス識別子に該当するＭＢＭＳサービスコンテキストが存在する場合に、 前記ＭＢＭＳ ＵＥ認証要求メッセージを受信しているＳＧＳＮ９０６は、ＵＥ９０２が前記ＭＢＭＳサービスに対して有効なもので判断する。ステップ９５６で、ＲＮＣ９０４は、ＵＥ９０２がＣＭＭ−Ｃｏｎｎｅｃｔｅｄモードにあることを示すＵＥの情報を前記ＭＢＭＳサービスに関連したＭＢＭＳサービスコンテキストに貯蔵する。
【０１２４】
ＵＥ９０２のＲＲＣ個体は、ステップ９５０で、ＲＲＣ接続を設定した後にＵＥ９０２の上位階層にＲＲＣ接続を設定したことを通報する。ここで、“上位階層”とは、ＰＭＭ個体を意味する。前記ＰＭＭ個体が前記ＲＲＣ階層からの要請に応答してＰＳシグナリングの連結を決定すると、ステップ９５８で、ＵＥ９０２がＣＭＭ−ＣｏｎｎｅｃｔｅｄまたはＰＭＭ−Ｉｄｌｅ状態にあるとしても、ＲＮＣ９０４にＵＥ９０２と前記ＭＢＭＳサービスとの間のリンキング情報が存在することをＳＧＳＮ９０６に通報するメッセージをＮＡＳインタフェースを利用して伝送する。前記メッセージは、ＵＥ９０２がＣＭＭ−ＣｏｎｎｅｃｔｅｄまたはＰＭＭ−Ｉｄｌｅ状態にあるとしても、ＵＥ９０２からＳＧＳＮ９０６に伝送され、ＵＥ９０２と前記ＭＢＭＳサービスとの間のリンキング情報がＲＮＣ９０４に存在することを示すパラメータを含む。
【０１２５】
また、前記メッセージは、ＭＢＭＳサービス要請のための専用サービス要求メッセージになるか、または典型的なサービス要求メッセージにＭＢＭＳサービス要請を意味する値を有するＣａｕｓｅ Ｖａｌｕｅを追加した形態になる。前記メッセージが専用サービス要求メッセージである場合に、前記サービス要求メッセージは、ＣＭＭ−Ｃｏｎｎｅｃｔｅｄのようなフラグを含む。前記ＣＭＭ−Ｃｏｎｎｅｃｔｅｄが０である場合には、ＣＭＭ−Ｉｄｌｅ状態を示し、前記ＣＭＭ−Ｃｏｎｎｅｃｔｅｄが１である場合には、ＣＭＭ−Ｃｏｎｎｅｃｔｅｄ状態を示す。前記メッセージが典型的なサービス要求メッセージにパラメータを追加する場合に、前記サービス要求メッセージは、前記ＭＢＭＳサービス識別子を含むか、またはＣＭＭ−Ｃｏｎｎｅｃｔｅｄ状態を示す新たな値を有するＣａｕｓｅ Ｖａｌｕｅを含む。
【０１２６】
前記サービス要求メッセージは、ＭＢＭＳサービス要請のための専用メッセージになるか、または既存のサービス要求メッセージに新たな値を有するＣａｕｓｅ Ｖａｌｕｅを追加した形態になることができる。前記サービス要求メッセージが専用メッセージとして定義される場合に、前記サービス要求メッセージは、ＣＭＭ−Ｃｏｎｎｅｃｔｅｄのようなフラグを含む。同様に、前記ＣＭＭ−Ｃｏｎｎｅｃｔｅｄが０である場合には、ＣＭＭ−Ｉｄｌｅ状態を示し、前記ＣＭＭ−Ｃｏｎｎｅｃｔｅｄが１である場合には、ＣＭＭ−Ｃｏｎｎｅｃｔｅｄ状態を示す。
【０１２７】
ステップ９６０で、ＳＧＳＮ９０６は、前記サービス要求メッセージに応答して、ＵＥ９０２がＣＭＭ−ＣＯＮＮＥＣＴＥＤ状態であることを示すＵＥの情報を前記ＭＢＭＳサービスに該当するＭＢＭＳサービスコンテキストに貯蔵する。すなわち、ＳＧＳＮ９０６は、ＵＥ９０２が参加した前記ＭＢＭＳサービスに該当する前記ＭＢＭＳサービスコンテキストに前記ＵＥの情報を貯蔵する。ここで、ＳＧＳＮ９０６は、前記サービス要求メッセージに前記ＭＢＭＳサービス識別子が含まれている場合には、前記ＭＢＭＳサービス識別子を利用して前記ＭＢＭＳサービスコンテキストを探索する。しかし、前記サービス要求メッセージが前記ＭＢＭＳサービス識別子を有していない場合に、ＳＧＳＮ９０６は、前記ＵＥ識別子を利用してＭＭコンテキストを検索した後に、前記ＭＭコンテキストに含まれている前記ＭＢＭＳサービスコンテキストを獲得する。
【０１２８】
一方、ステップ９５８で、サービス要求メッセージを受信して自分のＭＢＭＳサービスコンテキストを更新した後に、ＳＧＳＮ９０６は、ＲＮＣ９０４からＵＥ９０２に対するＭＢＭＳサービス関連情報(すなわち、ＭＢＭＳ ＵＥ有効要求のような)が受信されたか否かを判断する。前記ＭＢＭＳサービス関連情報が受信されない場合に、ＳＧＳＮ９０６は、ＵＥ９０２が参加したＭＢＭＳサービスに対する少なくとも１つのＭＢＭＳサービス識別子を含むＭＢＭＳ ＵＥリンキング要求メッセージをＲＮＣ９０４に伝送して、ＲＮＣ９０４がＵＥ９０２の情報をＲＮＣ９０４のＭＢＭＳサービスコンテキストに貯蔵するようにできる。
【０１２９】
示されていないが、本発明の変形された実施形態において、ＵＥ９０２は、ＳＧＳＮ９０６にサービス要求メッセージを伝送するにおいて、１つのＭＢＭＳサービスにのみ参加している場合にＭＢＭＳサービス識別子を使用し、２個以上のＭＢＭＳサービスに参加している場合にＭＢＭＳサービス活性化指示者を使用する。以後の動作は、前述したような該当動作と同様である。
【０１３０】
前記のように、ＳＧＳＮのＭＢＭＳサービスコンテキストにＣＭＭ−Ｃｏｎｎｅｃｔｅｄ情報を追加する理由は、ＰＭＭ−Ｉｄｌｅ／ＲＲＣ−Ｃｏｎｎｅｃｔｅｄ状態でのＵＥがサービス削除要請を遂行するときに、ＲＮＣ内の前記ＵＥに対するリンキング情報を削除するためである。すなわち、図１８乃至図２１に示す手順を通じて、ＳＧＳＮは、ＵＥがＲＲＣ接続を有しており、前記ＲＮＣが前記ＵＥのＭＢＭＳサービス関連情報を貯蔵していることを認識すると、この後、ＳＧＳＮは、前記ＵＥがＭＢＭＳサービス中断要請を行う場合に、ＲＮＣでデリンキング(Delinking)を遂行して前記ＵＥと前記ＭＢＭＳサービスとの間のリンキング(Linking)を削除するのに前記情報を使用する。
【０１３１】
図２２及び図２３は、ＳＧＳＮ及びＲＮＣのＭＢＭＳサービスコンテキストでＵＥのサービス関連情報を削除する手順を示す。図２２及び図２３において、参照番号１００２は、ＭＢＭＳサービスを受信するＵＥを示し、参照番号１００４は、ＵＥ１００２に該当するＭＢＭＳサービスのためのＲＮＣを示し、参照番号１００６は、前記ＭＢＭＳサービスのためのＣＮのＳＧＳＮを示す。追加的に、ＵＥ１００２は、ＭＢＭＳサービスに参加したが、ＳＧＳＮ１００６を通じて現在進行中である他のパケット交換サービスがない状態にある。
【０１３２】
より具体的に、図２２は、ＰＭＭ−Ｉｄｌｅ状態でＭＢＭＳサービスを受信しているＵＥが回線交換サービスのために設定したＲＲＣ接続を解除するときに、ＲＮＣ内のＭＢＭＳサービス関連情報を削除し、ＲＮＣからＳＧＳＮにＩｕメッセージを通じてＳＧＳＮ内のＭＢＭＳサービス関連情報を削除する手順を示す。
図２２を参照すると、ステップ１０１０で、ＵＥ１００２の回線交換サービスが終了されると、ステップ１０１２で、ＲＮＣ１００４は、ＵＥ１００２にＲＲＣ接続の解除を要請する。このとき、ＵＥ１００２がＲＮＣ１００４に伝送するＲＲＣ接続解除メッセージは、ＵＥ１００２が進行中であるＭＢＭＳサービスを示すＭＢＭＳサービス識別子を含む。
【０１３３】
ステップ１０１４で、ＲＮＣ１００４は、自分のＭＢＭＳサービスコンテキストからＵＥ１００２の情報を除去する。この後に、ステップ１０１６で、ＲＮＣ１００４は、ＵＥ１００２がＲＲＣ接続を解除してＵＥ１００２とＭＢＭＳサービスとの間のリンキングがＲＮＣ１００４にこれ以上存在しないことをＳＧＳＮ１００６に通報する。ステップ１０１６で、前記ＭＢＭＳサービス識別子と前記ＵＥ識別子を含むＭＢＭＳ ＵＥ更新要求のようなメッセージが使用される。前記ＭＢＭＳ ＵＥ更新要求メッセージは、前記ＭＢＭＳサービス識別子及び前記ＵＥ識別子を含み、追加的に、ＵＥ１００２がＣＭＭ−ＣｏｎｎｅｃｔｅｄモードからＣＭＭ−Ｉｄｌｅモードに遷移したことを示すＣａｕｓｅのようなパラメータをさらに含む。
【０１３４】
ステップ１０１８で、ＳＧＳＮ１００６は、前記ＭＢＭＳ ＵＥ更新要求メッセージを参照して、ＳＧＳＮ１００６内のＭＢＭＳサービスコンテキストからＵＥ１００２がＣＭＭ−Ｃｏｎｎｅｃｔｅｄモードにあることを示すＵＥ情報を削除し、ステップ１０２０で、ＳＧＳＮ１００６は、ＭＢＭＳ ＵＥ更新応答メッセージでＲＮＣ１００４に応答する。
図２３は、ＰＭＭ−Ｉｄｌｅ状態でＭＢＭＳサービスを受信しているＵＥ１００２が回線交換サービスのために設定したＲＲＣ接続を保持しつつ前記ＭＢＭＳサービスの受信中断を要請する場合に、ＳＧＳＮ１００６からＲＮＣ１００４に伝送するＩｕメッセージを通じてＭＢＭＳサービス関連情報を削除する手順を示す。
【０１３５】
図２３を参照すると、ステップ１０３０で、ＵＥ１００２は、進行中である少なくとも１つのＭＢＭＳサービスの受信を中断することを決定し、ステップ１０３２で、一般的なＭＢＭＳサービス受信中断(Leave)手順を通じてＳＧＳＮ１００６に前記少なくとも１つのＭＢＭＳサービスの中断を通報する。ステップ１０３４で、ＳＧＳＮ１００６は、ＵＥ１００２が受信中断を要請した前記ＭＢＭＳサービスに対してＭＢＭＳサービスコンテキストからＵＥ１００２がＣＭＭ−Ｃｏｎｎｅｃｔｅｄモードにあることを示すＵＥ情報を除去する。ステップ１０３４で、ＳＧＳＮ１００６は、前記ＵＥ情報を除去する前にまず前記ＭＢＭＳサービスコンテキストの内に前記ＵＥ情報が貯蔵されているか否かを検査する。前記ＭＢＭＳサービスコンテキストの内に前記ＵＥ情報が貯蔵されている場合に、ステップ１０３６で、ＳＧＳＮ１００６は、ＵＥ１００２がサービス受信を中断することを所望するＭＢＭＳサービスを示すＭＢＭＳサービス識別子を含むＭＢＭＳ ＵＥデリンキング要求メッセージをＲＮＣ１００４に伝送する。前記ＭＢＭＳ ＵＥデリンキング要求メッセージは、前記ＭＢＭＳサービス識別子を含む。ここで、前記ＭＢＭＳ ＵＥデリンキング要求メッセージは、ＩｕインタフェースによるＵＥ dedicated signalingを通じて伝送されるので、ＲＮＣ１００４は、前記メッセージを伝送したＵＥ１００２を判別することができる。
【０１３６】
ステップ１０３８で、ＲＮＣ１００４は、ＲＮＣ１００４内のＭＢＭＳサービスコンテキストに含まれているＵＥ１００２が終わりのＵＥであるか否かを確認する。ＵＥ１００２がＲＮＣ１００４の前記ＭＢＭＳサービスコンテキストにリンキングされた終わりのＵＥであれば、ＲＮＣ１００４は、前記ＭＢＭＳサービスコンテキストからＵＥ１００２のＵＥ情報を削除し、ステップ１０４０で、前記ＭＢＭＳ ＵＥデリンキング要求メッセージに応じて、前記ＭＢＭＳ ＵＥデリンキング応答メッセージをＳＧＳＮ１００６に伝送する。
【０１３７】
図２４は、本発明の第２実施形態によるＳＧＳＮ１００６の動作を示すフローチャートである。
図２４を参照すると、ステップ１１０２で、前記ＳＧＳＮは、ＲＮＣを通じてＵＥから受信したメッセージがＲＲＣ接続メッセージであるか否かを検査する。前記受信されたメッセージがＲＲＣ接続メッセージであれば、前記ＳＧＳＮは、ステップ１１０４に進行する。前記受信されたメッセージがＲＲＣ接続メッセージではない場合には、前記ＳＧＳＮは、ステップ１１３８に進行する。
【０１３８】
ステップ１１０４で、前記ＳＧＳＮは、前記ＲＮＣから前記ＵＥが特定のＭＢＭＳサービスに対して有効であるか否かの確認を要請するメッセージ、すなわち、ＭＢＭＳ ＵＥ認証要求メッセージを受信したか否かを検査する。前記ＭＢＭＳ ＵＥ認証要求メッセージは、前記ＵＥ識別子及び前記ＲＮＣ識別子を含み、前記特定のＭＢＭＳサービスを示すＭＢＭＳサービス識別子をさらに含むことができる。前記ＭＢＭＳ ＵＥ認証要求メッセージが受信された場合に、前記ＳＧＳＮはステップ１１０６に進行し、そうではない場合には、前記ＳＧＳＮはステップ１１２８に進行する。
【０１３９】
ステップ１１０６で、前記ＳＧＳＮは、前記ＵＥに対するＭＢＭＳサービス認証を選択的に遂行し、前記サービス認証に成功した場合に、前記ＳＧＳＮは、ステップ１１０８に進行する。しかし、前記サービス認証に失敗した場合に、前記ＳＧＳＮは、ステップ１１２６に進行する。
ステップ１１０８で、前記ＳＧＳＮは、前記ＭＢＭＳサービス識別子に該当するＭＢＭＳサービスコンテキストが存在するか否かを検査する。ステップ１１０８で、前記ＭＢＭＳサービスコンテキストが存在する場合に、前記ＳＧＳＮはステップ１０１０に進行する。一方、前記ＭＢＭＳサービスコンテキストが存在しない場合に、前記ＳＧＳＮはステップ１１２６に進行する。
【０１４０】
ステップ１１１０で、前記ＳＧＳＮは、前記ＭＢＭＳサービスコンテキストに前記ＭＢＭＳサービス識別子が含まれているか否かを検査する。ステップ１１１０で、前記ＭＢＭＳサービスコンテキストに前記ＭＢＭＳサービス識別子が含まれている場合に、前記ＳＧＳＮはステップ１１１２に進行する。一方、前記ＭＢＭＳサービスコンテキストに前記ＭＢＭＳサービス識別子が含まれていない場合に、前記ＳＧＳＮはステップ１１２６に進行する。
【０１４１】
ステップ１１２６で、前記ＳＧＳＮは、前記ＲＮＣにＭＢＭＳ ＵＥ有効失敗メッセージを伝送して前記ＵＥが前記ＳＧＳＮを通じてＭＢＭＳサービスに参加しなかったことを通報した後に、動作を終了する。
ステップ１１１２で、前記ＳＧＳＮは、リンキング情報を貯蔵するか否かを判断する。前記ＳＧＳＮが前記リンキング情報を貯蔵する場合に、ステップ１１１６に進行し、そうではない場合は、ステップ１１１８に進行する。ここで、前記ＳＧＳＮは、前記ＵＥがＵｕメッセージを通じて前記ＲＮＣに前記ＵＥのＭＢＭＳサービス関連情報を直接に貯蔵し、前記ＲＮＣが前記ＳＧＳＮにＩｕメッセージを通じてＲＲＣ接続が設定されていることを伝達しようとする場合に、所定の動作モードに従って前記リンキング情報を貯蔵するもので判断する。
【０１４２】
ステップ１１１６で、前記ＳＧＳＮは、前記ＭＢＭＳサービスコンテキストに前記ＵＥがＣＭＭ−Ｃｏｎｎｅｃｔｅｄモードにあることを示すＵＥ情報を貯蔵し、ステップ１１１８に進行する。ステップ１１１８で、前記ＳＧＳＮは、前記ＵＥが前記ＳＧＳＮを通じて前記ＭＢＭＳサービスに参加したことを知らせるＭＢＭＳ ＵＥ認証応答メッセージを前記ＲＮＣに伝送した後に、ステップ１１２０に進行する。
【０１４３】
ステップ１１２０で、前記ＳＧＳＮは、前記ＭＢＭＳサービスコンテキストに前記ＲＮＣ識別子が含まれているか否かを検査する。前記ＭＢＭＳサービスコンテキストに前記ＲＮＣ識別子が含まれていない場合に、前記ＳＧＳＮはステップ１１２４に進行する。ステップ１１２４で、前記ＳＧＳＮは、前記ＭＢＭＳサービスコンテキストに前記ＲＮＣの情報を追加する。しかし、ステップ１１２０で、前記ＭＢＭＳサービスコンテキストに前記ＲＮＣ識別子が含まれている場合に、前記ＳＧＳＮは動作を終了する。
【０１４４】
ステップ１１２８で、前記ＳＧＳＮは、前記ＲＮＣからＭＢＭＳ ＵＥ更新メッセージを受信したか否かを検査する。前記ＭＢＭＳ ＵＥ更新メッセージを受信した場合に、前記ＳＧＳＮはステップ１１３０に進行する。しかし、前記ＭＢＭＳ ＵＥ更新メッセージを受信しない場合に、前記ＳＧＳＮは動作を終了する。
ステップ１１３０で、前記ＳＧＳＮは、前記ＵＥに対するＭＢＭＳサービス認証を選択的に遂行し、前記サービス認証に成功して前記ＵＥが前記ＭＢＭＳサービスに対して有効なもので判断された場合に、前記ＳＧＳＮはステップ１１３２に進行する。しかし、前記サービス認証に失敗した場合に、前記ＳＧＳＮは動作を終了する。ステップ１１３２で、前記ＳＧＳＮは、前記ＭＢＭＳサービス識別子に該当するＭＢＭＳサービスコンテキストが存在するか否かを検査する。前記ＭＢＭＳサービスコンテキストが存在する場合に、前記ＳＧＳＮはステップ１１３４に進行する。一方、前記ＭＢＭＳサービスコンテキストが存在しない場合に、前記ＳＧＳＮは動作を終了する。ステップ１１３４で、前記ＳＧＳＮは、前記ＭＢＭＳサービスコンテキストから前記ＵＥがＣＭＭ−Ｃｏｎｎｅｃｔｅｄモードにあることを示すＵＥの情報を削除し、ステップ１１３６に進行する。ステップ１１３６で、前記ＳＧＳＮは、前記ＲＮＣに応答メッセージを伝送する。
【０１４５】
一方、ステップ１１３８で、前記ＳＧＳＮは、前記ＵＥから受信したメッセージがＣＭＭ−Ｃｏｎｎｅｃｔｅｄモード情報を含んでいるサービス要求メッセージであるか否かを検査する。前記受信されたメッセージが前記サービス要求メッセージであれば、前記ＳＧＳＮはステップ１１４０に進行する。前記サービス要求メッセージは、ＭＢＭＳサービス識別子を含む。しかし、前記受信されたメッセージが前記サービス要求メッセージではない場合に、前記ＳＧＳＮは動作を終了する。
【０１４６】
ステップ１１４０で、前記ＳＧＳＮは、前記サービス要求メッセージの原因がＣＭＭ−Ｃｏｎｎｅｃｔｅｄモードであるか否かを判断する。前記メッセージの原因がＣＭＭ−Ｃｏｎｎｅｃｔｅｄモードであれば、前記ＳＧＳＮはステップ１１４２に進行し、そうでない場合には、前記ＳＧＳＮは動作を終了する。
ステップ１１４２で、前記ＳＧＳＮは、前記ＵＥに対するＭＢＭＳサービス認証を選択的に遂行する。前記サービス認証に失敗する場合に、前記ＳＧＳＮは動作を終了する。しかし、前記サービス認証に成功して前記ＵＥが前記ＭＢＭＳサービスに対して有効なもので判断された場合に、前記ＳＧＳＮはステップ１１４４に進行する。
【０１４７】
ステップ１１４４で、前記ＳＧＳＮは、前記ＭＢＭＳサービス識別子に該当するＭＢＭＳサービスコンテキストが存在するか否かを検査する。前記ＭＢＭＳサービスコンテキストが存在する場合に、前記ＳＧＳＮはステップ１１４６に進行する。一方、前記ＭＢＭＳサービスコンテキストが存在しない場合に、前記ＳＧＳＮは動作を終了する。ステップ１１４６で、前記ＳＧＳＮは、前記ＭＢＭＳサービスコンテキストに前記ＵＥがＣＭＭ−Ｃｏｎｎｅｃｔｅｄモードにあることを示すＵＥの情報を追加する。
【０１４８】
図２５は、本発明の第２実施形態によるＵＥの動作を示すフローチャートである。
図２５を参照すると、ステップ１２０２で、ＵＥは、ＭＢＭＳサービスに参加した後にＰＭＭ−Ｉｄｌｅモードに遷移した状態である。ステップ１２０４で、前記ＵＥは、ＲＲＣ接続を有しているか否かを検査する。前記ＵＥがＰＭＭ−Ｉｄｌｅモードにあるので、前記ＵＥは、ＲＲＣ接続を有している場合に、ＲＲＣ接続は、回線交換サービスのためのものである。前記ＵＥがＲＲＣ接続を有している場合にステップ１２１０に進行し、そうでない場合にステップ１２０６に進行する。
【０１４９】
ステップ１２０６で、前記ＵＥがすでに参加したＭＢＭＳサービスが中断されたか否かを判断する。前記ＭＢＭＳサービスが中断されない場合に、前記ＵＥはステップ１２０８に進行し、前記ＭＢＭＳサービスが中断された場合に、前記ＵＥは動作を終了する。
ステップ１２０８で、前記ＵＥは、ＲＲＣ接続設定手順を遂行するか否かを判断する。前記ＵＥがＲＲＣ接続設定手順を遂行するもので判断した場合に、前記ＵＥはステップ１２１０に進行する。
【０１５０】
ステップ１２１０で、‘ケース１’に従う場合に、前記ＵＥはステップ１２１２に進行する。ここで、‘ケース１’は、前記ＵＥがＵｕメッセージを通じてＲＮＣにＭＢＭＳサービス関連情報を直接に貯蔵し、前記ＲＮＣがＳＧＳＮにＩｕメッセージを通じて前記ＵＥがＲＲＣ接続設定手順を遂行していることを通報する実施形態を示す。ステップ１２１２で、前記ＵＥは、前記ＲＮＣにＭＢＭＳサービス識別子またはＭＢＭＳサービス活性化指示者を含むＲＲＣ接続設定要求メッセージまたはＲＲＣ接続設定完了メッセージを伝送する。これは、前記ＵＥが参加しているＭＢＭＳサービスに該当するＭＢＭＳサービスコンテキストに前記ＵＥの情報を前記ＲＮＣに追加させるように要求するためである。
ステップ１２１０で、‘ケース１’に従わない場合にステップ１２１４に進行して、前記ＵＥが‘ケース２’に従うか否かを判断する。前記ＵＥが‘ケース２’に従う場合にステップ１２１６に進行する。ここで、‘ケース２’は、前記ＵＥが回線交換サービスのためにＲＲＣ接続を遂行する場合にＰＭＭ−Ｃｏｎｎｅｃｔｅｄ状態に遷移し、既存のＭＢＭＳ ＵＥリンキング手順を利用して、ＮＡＳインタフェースを通じてＲＲＣ接続設定手順を遂行していることを前記ＳＧＳＮに伝達する実施形態を示す。ステップ１２１６で、前記ＵＥは、ＭＢＭＳサービスを示すパラメータ(例えば、ＭＢＭＳサービス識別子またはＭＢＭＳサービス活性化指示者)を含むサービス要求メッセージを前記ＳＧＳＮに伝送する。ステップ１２１８で、前記ＵＥは、ＰＭＭ−ＣＯＮＮＥＣＴＥＤモードに遷移した後に、動作を終了する。
【０１５１】
一方、ステップ１２１４で、前記ＵＥが‘ケース２’に従わない場合に、ステップ１２２０に進行して前記ＵＥが‘ケース３’に従うか否かを判断する。前記‘ケース３’に従う場合にステップ１２２２に進行する。ステップ１２２２で、前記ＵＥは、前記ＲＮＣにＭＢＭＳサービス識別子またはＭＢＭＳサービス活性化指示者を含むＲＲＣ接続設定要求メッセージまたはＲＲＣ接続設定完了メッセージを伝送する。これは、前記ＵＥが参加しているＭＢＭＳサービスに該当するＭＢＭＳサービスコンテキストに前記ＵＥの情報を前記ＲＮＣに追加させることを要求するためである。ステップ１２２４で、前記ＵＥがＮＡＳインタフェースを通じてＣＭＭ−Ｃｏｎｎｅｃｔｅｄモードにあることを示す情報を含むＭＢＭＳサービスを示すパラメータ(例えば、ＭＢＭＳサービス識別子)及びサービス要求メッセージを前記ＳＧＳＮに伝送する。
【０１５２】
以上、本発明の詳細について具体的な実施形態に基づき説明してきたが、本発明の範囲を逸脱しない限り、各種の変形が可能なのは明らかである。従って、本発明の範囲は、上記実施形態に限るものでなく、特許請求の範囲のみならず、その範囲と均等なものにより定められるべきである。
【図面の簡単な説明】
【０１５３】
【図１】ＭＢＭＳサービスのためのネットワーク構成を示す図である。
【図２】従来のＭＢＭＳシステムでＲＲＣ接続を有するＰＭＭ−Ｉｄｌｅ ＵＥを示す図である。
【図３】ＭＢＭＳサービスを遂行するための手順を示す図である。
【図４】ＭＢＭＳサービスに対するＭＢＭＳサービスコンテキストの構造を示す図である。
【図５】ＭＢＭＳサービスのための参加手順を詳細に示す図である。
【図６】ＭＢＭＳサービスに参加したＵＥがパケットネットワークとのシグナリングを解除する手順を示す図である。
【図７】本発明の第１実施形態によるＭＢＭＳサービス関連情報をＵＥからＲＮＣに伝送する手順を示す図である。
【図８】本発明の第１実施形態によるＭＢＭＳサービス関連情報をＵＥからＲＮＣに伝送する手順を示す図である。
【図９】本発明の第１実施形態によるＭＢＭＳサービス関連情報をＵＥからＲＮＣに伝送する手順を示す図である。
【図１０】本発明の第１実施形態によるＵＥの動作を示すフローチャートである。
【図１１】本発明の第１実施形態によるＵＥの動作を示すフローチャートである。
【図１２】本発明の第１実施形態によるＵＥの動作を示すフローチャートである。
【図１３】本発明の第１実施形態によるＲＮＣの動作を示すフローチャートである。
【図１４】本発明の第１実施形態によるＲＮＣの動作を示すフローチャートである。
【図１５】本発明の第１実施形態によるＲＮＣの動作を示すフローチャートである。
【図１６】本発明の第１実施形態によるＭＢＭＳサービスコンテキストを更新するＳＧＳＮの動作を示すフローチャートである。
【図１７】本発明の第１実施形態によるＭＢＭＳサービスコンテキストを更新するＳＧＳＮの動作を示すフローチャートである。
【図１８】本発明の第２実施形態に従って、ＭＢＭＳサービスに参加したＵＥがＲＲＣ接続設定を遂行する場合にＭＢＭＳサービス関連情報をＲＮＣ及びＳＧＳＮに伝送する手順を示す図である。
【図１９】本発明の第２実施形態に従って、ＭＢＭＳサービスに参加したＵＥがＲＲＣ接続設定を遂行する場合にＭＢＭＳサービス関連情報をＲＮＣ及びＳＧＳＮに伝送する手順を示す図である。
【図２０】本発明の第２実施形態に従って、ＭＢＭＳサービスに参加したＵＥがＲＲＣ接続設定を遂行する場合にＭＢＭＳサービス関連情報をＲＮＣ及びＳＧＳＮに伝送する手順を示す図である。
【図２１】本発明の第２実施形態に従って、ＭＢＭＳサービスに参加したＵＥがＲＲＣ接続設定を遂行する場合にＭＢＭＳサービス関連情報をＲＮＣ及びＳＧＳＮに伝送する手順を示す図である。
【図２２】本発明の好適な実施形態に従ってＲＮＣ及びＳＧＳＮがＲＲＣ接続を解除する手順を示す図である。
【図２３】本発明の好適な実施形態に従ってＲＮＣ及びＳＧＳＮにＭＢＭＳサービスの受信中断を要請する手順を示す図である。
【図２４】本発明の第２実施形態に従ってＭＢＭＳサービス関連情報を貯蔵するＳＧＳＮの動作を示すフローチャートである。
【図２５】本発明の第２実施形態に従ってＭＢＭＳサービス関連情報を伝送するＵＥの動作を示すフローチャートである。
【符号の説明】
【０１５４】
５０２…ＵＥ（使用者端末機）
５０４…ＲＮＣ（無線ネットワーク制御器）
５０６…ＳＧＳＮ（サービスパケット無線サービス支援ノード）
【図１】
2004260816.tif 000003
【図２】
2004260816.tif 000004
【図３】
2004260816.tif 000005
【図４】
2004260816.tif 000006
【図５】
2004260816.tif 000007
【図６】
2004260816.tif 000008
【図７】
2004260816.tif 000009
【図８】
2004260816.tif 000010
【図９】
2004260816.tif 000011
【図１０】
2004260816.tif 000012
【図１１】
2004260816.tif 000013
【図１２】
2004260816.tif 000014
【図１３】
2004260816.tif 000015
【図１４】
2004260816.tif 000016
【図１５】
2004260816.tif 000017
【図１６】
2004260816.tif 000018
【図１７】
2004260816.tif 000019
【図１８】
2004260816.tif 000020
【図１９】
2004260816.tif 000021
【図２０】
2004260816.tif 000022
【図２１】
2004260816.tif 000023
【図２２】
2004260816.tif 000024
【図２３】
2004260816.tif 000025
【図２４】
2004260816.tif 000026
【図２５】
2004260816.tif 000027
【外国語明細書】
2004260816.tif 000028
2004260816.tif 000029
2004260816.tif 000030
2004260816.tif 000031
2004260816.tif 000032
2004260816.tif 000033
2004260816.tif 000034
2004260816.tif 000035
2004260816.tif 000036
2004260816.tif 000037
2004260816.tif 000038
2004260816.tif 000039
2004260816.tif 000040
2004260816.tif 000041
2004260816.tif 000042
2004260816.tif 000043
2004260816.tif 000044
2004260816.tif 000045
2004260816.tif 000046
2004260816.tif 000047
2004260816.tif 000048
2004260816.tif 000049
2004260816.tif 000050
2004260816.tif 000051
2004260816.tif 000052
2004260816.tif 000053
2004260816.tif 000054
2004260816.tif 000055
2004260816.tif 000056
2004260816.tif 000057
2004260816.tif 000058
2004260816.tif 000059
2004260816.tif 000060
2004260816.tif 000061
2004260816.tif 000062
2004260816.tif 000063
2004260816.tif 000064
2004260816.tif 000065
2004260816.tif 000066
2004260816.tif 000067
2004260816.tif 000068
2004260816.tif 000069
2004260816.tif 000070
2004260816.tif 000071
2004260816.tif 000072
2004260816.tif 000073
2004260816.tif 000074
2004260816.tif 000075
2004260816.tif 000076
2004260816.tif 000077
2004260816.tif 000078
2004260816.tif 000079
2004260816.tif 000080
2004260816.tif 000081
2004260816.tif 000082
2004260816.tif 000083
2004260816.tif 000084
2004260816.tif 000085
2004260816.tif 000086
2004260816.tif 000087
2004260816.tif 000088
2004260816.tif 000089
2004260816.tif 000090
2004260816.tif 000091
2004260816.tif 000092
2004260816.tif 000093
2004260816.tif 000094
2004260816.tif 000095
2004260816.tif 000096
2004260816.tif 000097
2004260816.tif 000098
2004260816.tif 000099
2004260816.tif 000100
2004260816.tif 000101
2004260816.tif 000102
2004260816.tif 000103
2004260816.tif 000104
2004260816.tif 000105
2004260816.tif 000106